(57)【要約】  本発明は、音楽または口述された物語を再生するための玩具に関し、この玩具は、スピーカーまたはスピーカー端子と、自身の周辺の領域内で、この周辺の特性または特性の変化を検出することができるセンサと、コントロールユニットとを有しており、センサが、自身の周辺の領域内で、この周辺の特定の特性または特性の特定の変化を検出した場合、またはセンサによって検出された特性の特定の変化をコントロールユニットが検出した場合、コントロールユニットは、音楽または口述された物語を再生するようにスピーカーまたはスピーカー端子を駆動制御することができ、ここで玩具の機器識別子と、機器識別子に関連する信号を送信する機構とが設けられている。
2019511257.tif 000002
【特許請求の範囲】
【請求項１】
音楽または口述された物語を再生するための玩具であって、前記玩具は、
・スピーカーまたはスピーカー端子と、
・自身の周辺の領域内で、前記周辺の特性または特性の変化を検出することができるセンサと、
・コントロールユニットと、
を有しており、
前記センサが、前記自身の周辺の領域内で、前記周辺の特定の特性または特性の特定の変化を検出した場合、または、前記センサによって検出された前記特性の特定の変化を前記コントロールユニットが検出した場合、前記コントロールユニットは、音楽または口述された物語を再生するように前記スピーカーまたは前記スピーカー端子を駆動制御することができる、玩具において、
前記玩具の機器識別子と、前記機器識別子に関連する信号を送信する機構と、を有している、
ことを特徴とする玩具。
【請求項２】
オーディオ情報を再生するための装置であって、前記装置は、
・スピーカーまたはスピーカー端子と、
・自身の周辺の領域内で、前記周辺の特性または特性の変化を検出することができるセンサと、
・コントロールユニットと、
を有しており、
前記センサが、前記自身の周辺の領域内で、前記周辺の特定の特性または特性の特定の変化を検出した場合、または、前記センサによって検出された前記特性の特定の変化を前記コントロールユニットが検出した場合、前記コントロールユニットは、オーディオ情報を再生するように前記スピーカーまたは前記スピーカー端子を駆動制御することができる、装置において、
前記装置の機器識別子と、前記機器識別子に関連する信号を送信する機構と、を有している、
ことを特徴とする装置。
【請求項３】
画像情報、ビデオ情報または３Ｄ情報を再生するための装置であって、前記装置は、
・画像情報、ビデオ情報または３Ｄ情報のためのディスプレイまたは前記ディスプレイ用の端子と、
・自身の周辺の領域内で、前記周辺の特性または特性の変化を検出することができるセンサと、
・コントロールユニットと、
を有しており、
前記センサが、前記自身の周辺の領域内で、前記周辺の特定の特性または特性の特定の変化を検出した場合、または、前記センサによって検出された前記特性の特定の変化を前記コントロールユニットが検出した場合、前記コントロールユニットは、画像情報、ビデオ情報または３Ｄ情報を再生するように前記ディスプレイまたは前記ディスプレイ用の端子を駆動制御することができる、装置において、
前記装置の機器識別子と、前記機器識別子に関連する信号を送信する機構、とを有している、
ことを特徴とする装置。
【請求項４】
ソフトウェアを実行するための装置であって、前記装置は、
・前記ソフトウェアを実行することができるプロセッサと、
・自身の周辺の領域内で、前記周辺の特性または特性の変化を検出することができるセンサと、
・コントロールユニットと、
を有しており、
前記センサが、前記自身の周辺の領域内で、前記周辺の特定の特性または特性の特定の変化を検出した場合、または、前記センサによって検出された前記特性の特定の変化を前記コントロールユニットが検出した場合、前記コントロールユニットは、前記ソフトウェアを実行するように前記プロセッサを駆動制御することができる、装置において、
前記装置の機器識別子と、前記機器識別子に関連する信号を送信する機構と、を有している、
ことを特徴とする装置。
【請求項５】
前記センサは、誘導型センサ、磁界センサ、容量型センサ、圧電式センサ、電気化学式センサまたは温度センサである、
請求項１から４までのいずれか１項記載の玩具または装置。
【請求項６】
前記センサは、受動的なＲＦＩＤトランスポンダと通信する、かつ／または、能動的なＲＦＩＤトランスポンダと通信する読み取り機器である、
請求項１から５までのいずれか１項記載の玩具または装置。
【請求項７】
請求項１から６までのいずれか１項記載の玩具または装置と、識別子担体と、を有するシステムであって、
前記識別子担体が前記センサの前記周辺の領域内に位置する場合、または、前記センサが前記自身の周辺の領域内で検出することができる、前記センサの前記周辺の特性を前記識別子担体が変化させる場合、前記センサが検出することができる特性を前記識別子担体が有している、
システム。
【請求項８】
前記システムは、前記識別子担体はＲＦＩＤトランスポンダまたはアンテナを有しており、変調された波を放射および／または受信することができる、
請求項７記載のシステム。
【請求項９】
前記システムは、外部記憶装置を有しており、前記センサが、前記自身の周辺の領域内で、前記周辺の特定の特性または特性の特定の変化を検出した場合、または、前記センサによって検出された前記特性の特定の変化を前記コントロールユニットが検出した場合、前記外部記憶装置からデータパケットを、前記玩具もしくは前記装置の記憶装置に転送することができる、かつ／または、前記外部記憶装置に前記玩具もしくは前記装置からデータパケットを転送することができる、
請求項７または８記載のシステム。
【請求項１０】
前記システムは、外部コントロールユニットを有しており、前記センサが、前記自身の周辺の領域内で、前記周辺の特定の特性または特性の特定の変化を検出した場合、または前記センサによって検出された前記特性の特定の変化を前記コントロールユニットが検出した場合、前記外部コントロールユニットに前記玩具もしくは前記装置からデータパケットを転送することができる、または、前記外部コントロールユニットからデータパケットを、前記玩具もしくは前記装置に転送することができる、
請求項７から９までのいずれか１項記載のシステム。
【請求項１１】
装置によって、オーディオ情報を再生するための方法であって、前記装置は、
・スピーカーまたはスピーカー端子と、
・自身の周辺の領域内で、前記周辺の特性または特性の変化を検出することができるセンサと、
・コントロールユニットと、
を有しており、
前記センサが、前記自身の周辺の領域内で、前記周辺の特定の特性または特性の特定の変化を検出した場合、または、前記センサによって検出された前記特性の特定の変化を前記コントロールユニットが検出した場合、前記コントロールユニットは、オーディオ情報を再生するように前記スピーカーまたは前記スピーカー端子を駆動制御する、方法において、
前記センサが、前記自身の周辺の領域内で、前記周辺の特定の特性または特性の特定の変化を検出した場合、または、前記センサによって検出された前記特性の特定の変化を前記コントロールユニットが検出した場合、データパケットが外部記憶装置および／または外部コントロールユニットから前記装置の記憶装置に転送される、かつ／または、データパケットが前記装置から外部記憶装置および／または外部コントロールユニットに転送される、
ことを特徴する方法。
【請求項１２】
装置によって、画像情報、ビデオ情報または３Ｄ情報を再生するための方法であって、前記装置は、
・画像情報、ビデオ情報または３Ｄ情報のためのディスプレイまたは前記ディスプレイ用の端子と、
・自身の周辺の領域内で、前記周辺の特性または特性の変化を検出することができるセンサと、
・コントロールユニットと、
を有しており、
前記センサが、前記自身の周辺の領域内で、前記周辺の特定の特性または特性の特定の変化を検出した場合、または、前記センサによって検出された前記特性の特定の変化を前記コントロールユニットが検出した場合、前記コントロールユニットは、画像情報、ビデオ情報または３Ｄ情報を再生するように前記ディスプレイまたは前記ディスプレイ用の端子を駆動制御する、方法において、
前記センサが、前記自身の周辺の領域内で、前記周辺の特定の特性または特性の特定の変化を検出した場合、または、前記センサによって検出された前記特性の特定の変化を前記コントロールユニットが検出した場合、データパケットが外部記憶装置および／または外部コントロールユニットから前記装置の記憶装置に転送される、かつ／または、データパケットが前記装置から外部記憶装置および／または外部コントロールユニットに転送される、
ことを特徴する方法。
【請求項１３】
装置によって、ソフトウェアを実行するための方法であって、前記装置は、
・前記ソフトウェアを実行することができるプロセッサと、
・自身の周辺の領域内で、前記周辺の特性または特性の変化を検出することができるセンサと、
・コントロールユニットと、
を有しており、
前記センサが、前記自身の周辺の領域内で、前記周辺の特定の特性または特性の特定の変化を検出した場合、または、前記センサによって検出された前記特性の特定の変化を前記コントロールユニットが検出した場合、前記コントロールユニットは、前記ソフトウェアを実行するように前記プロセッサを駆動制御する方法において、
前記センサが、前記自身の周辺の領域内で、前記周辺の特定の特性または特性の特定の変化を検出した場合、または、前記センサによって検出された前記特性の特定の変化を前記コントロールユニットが検出した場合、データパケットが外部記憶装置および／または外部コントロールユニットから前記装置の記憶装置に転送される、かつ／または、データパケットが前記装置から外部記憶装置および／または外部コントロールユニットに転送される、
ことを特徴する方法。
【発明の詳細な説明】
【技術分野】
【０００１】
本発明は、音楽または口述された物語を再生するための玩具と、オーディオ情報を再生するための装置と、画像情報、ビデオ情報または３Ｄ情報を再生するための装置と、ソフトウェアを実行するための装置と、玩具または上記のような装置と識別子担体とを有するシステムと、オーディオ情報を再生するための方法と、画像情報、ビデオ情報または３Ｄ情報を再生するための方法と、ソフトウェアを実行するための方法と、識別子担体とに関する。
【背景技術】
【０００２】
国際公開第２０１５／１０４２２２号（WO 2015/104222 A1）から、音楽または口述された物語を再生するための玩具が公知である。この玩具は、スピーカーまたはスピーカー端子と、自身の周辺領域内で、この周辺の特性または特性の変化を検出することができるセンサと、コントロールユニットとを有しており、センサが、周辺領域内で、この周辺の特定の特性または特性の特定の変化を検出した場合、またはコントロールユニットがセンサによって検出された特性の特定の変化を検出した場合、コントロールユニットが、音楽または口述された物語を再生するようにスピーカーまたはスピーカー端子を駆動制御することができる。さらに、国際公開第２０１５／１０４２２２号（WO 2015/104222 A1）から、このような玩具を、識別子担体と組み合わせ、システムを作成することが公知である。ここでは、識別子担体は、識別子担体がセンサの周辺領域内に位置する場合、またはセンサが自身の周辺領域内で検出することができる、センサ周辺の特性を識別子担体が変える場合に、センサが検出することができる特性を有している。有利な実施例として、国際公開第２０１５／１０４２２２号（WO 2015/104222 A1）から、識別子担体がＲＦＩＤトランスポンダを有していること、またはアンテナを有していること、および変調された波を放射および／または受信することができることが公知である。さらにこの文献から、センサが、受動的なＲＦＩＤトランスポンダと通信するため、かつ／または能動的なＲＦＩＤトランスポンダと通信するための読み取り機器であることが公知である。
【０００３】
有利な実施形態では、国際公開第２０１５／１０４２２２号（WO 2015/104222 A1）に記載されているこの装置は、データをインターネットから受信する、かつ／またはデータをインターネットへ送信するユニットを有している。これは特に有利には、無線ローカルエリアネットワーク（ＷＬＡＮ）、モバイルデータ無線技術、例えばＬＴＥ、ＵＭＴＳまたはその先行物または後継物のためのアンテナ、またはインターネットアクセスも有しているローカルネットワークのケーブルの端子用の接続ソケット、例えば、イーサーネットケーブル用の接続ソケットである。データをインターネットから受信するユニットが存在することによって、コントロールユニットが、特定のデータフォーマットを有している、再生されるべきオーディオ情報を含んでいるデータを、インターネットからダウンロードすることが可能になる。このようにして、装置は、センサが自身の周辺領域内で、この周辺の特定の特性または特性の特定の変化を検出する以前に、またはコントロールユニットがセンサによって検出されたこの特性の特定の変化を検出する以前に、装置内に格納されていなかったオーディオ情報を再生することができる。ここでこのコントロールユニットは次のように構成可能である。すなわち、コントロールユニットがデータをインターネットから受信し、記憶装置内に継続的に格納し、この記憶装置内に格納されているデータに基づいてオーディオ情報を再生するようにスピーカーを駆動制御するように構成可能である。付加的にまたは択一的に、コントロールユニットが、インターネットから受信したデータを直接的に、オーディオ情報を再生するようにスピーカーを駆動制御するために使用することが可能である（いわゆるストリーミング）。ここでこの実施形態は、インターネットから受信したデータの、緩衝記憶装置内での一時的な緩衝記憶も含み得る。
【０００４】
特定のデータフォーマットを有するオーディオ情報を含んでいるデータをインターネットから受信する実施形態では、国際公開第２０１５／１０４２２２号（WO 2015/104222 A1）に記載されている装置では、例えば、コントロールユニットが、記憶装置内に、インターネットと接続されているサーバーの、特定のサーバーアドレスを保持し、各特定の特性または特性の各特定の変化が各識別番号に割り当てられているテーブルを記憶装置内に保持することが可能である。コントロールユニットは、このような実施形態では次のことのために構成されている。すなわち、特定の特性の識別時もしくは特性の特定の変化の識別時に具体的なサーバーと通信するため、かつ特定の特性もしくはこの特性の特定の変化に割り当てられている識別番号を用いて、サーバーから、特定のデータセットをダウンロードするため、かつこのデータから得られるオーディオ情報を再生するようにスピーカーを駆動制御するために使用するために構成されている。例えば、サーバー上には、曲のタイトルが、特定のデータフォーマットを有するデータとして格納され得る。ここで各曲のタイトルもしくはこの曲のタイトルを含んでいるデータは、サーバー上に、特定の識別コードが付けられて格納されている。有利な実施形態では、本発明の装置は既に、割り当てテーブルを含んでいる。この割り当てテーブルは、センサの周辺領域の特定の特性もしくはこの特性の変化を、幾つかの、または多数の、またはむしろ有利な実施形態では全ての識別番号に割り当てる。これは、サーバーのデータバンク上でも使用される。これによって、コントロールユニットは、所期のように、データセットをサーバーからダウンロードすることができるようになる。択一的に、コントロールユニットが、検出された特定の特性もしくはこの特性の、検出された特定の変化を含んでいる情報を特定のサーバーに伝送するように構成されることが可能である。このサーバーは、インターネットと接続されている。この場合には、識別された特定の特性もしくは識別された、この特性の特定の変化の、特定のオーディオ情報への割り当てをサーバー上で行うことができる。コントロールユニットはこの場合には、再生されるべきオーディオ情報を含んでいるデータを同じまたは異なるサーバーから受信するように構成されている。サーバーはこのデータを本発明の装置に伝送する。サーバーは、このデータを、コントロールユニットから自身に伝達された特定の特性、もしくはコントロールユニットから自身に伝達された、この特性の特定の変化に割り当てている。この実施形態は、本発明の装置内での割り当てテーブルの保持の必要性を回避し、これによって、センサの周辺領域の特定の検出された特性もしくは特性の特定の検出された変化に基づく、オーディオ情報を含んでいる特定のデータの受信の柔軟性が高まる。このような実施形態によって、例えば、サーバーに供給されるデータセットの数を増大させることができる。ここでは、割り当てテーブルを本発明の装置のコントロールユニットにおいて調整する必要はない。
【発明の概要】
【発明が解決しようとする課題】
【０００５】
したがって、本発明の課題は、国際公開第２０１５／１０４２２２号（WO 2015/104222 A1）から公知の玩具もしくは国際公開第２０１５／１０４２２２号（WO 2015/104222 A1）から公知の装置から出発して、もしくは国際公開第２０１５／１０４２２２号（WO 2015/104222 A1）から公知の方法から出発して、それらの使用の可能性を高める方法およびシステムを提案することである。
【課題を解決するための手段】
【０００６】
上述の課題は、請求項１に記載されている玩具、請求項２、３または４に記載されている装置ならびに請求項７に記載されているシステムおよび請求項１１、１２または１３に記載されている方法によって解決される。有利な実施形態は従属請求項および以降の明細書に記載されている。
【０００７】
本発明は、第１の態様では、玩具もしくは装置に機器識別子を付与し、かつこの機器識別子に関連する信号を送信する機構を設けるという基本的な着想から出発している。機器識別子は、プロセッサまたはメモリチップの識別子であってよい。機器識別子は、プロセッサまたはメモリチップとは別個に設けられた識別子であってもよく、例えば玩具もしくは装置の一部として設けられているタグ、例えばＲＦＩＤトランスポンダの識別子であってもよい。有利な実施形態では、機器識別子は、次のように選択される。すなわち、これが、玩具もしくは装置を、外部コントロールユニットに対して明確に識別するのに適しているように選択される。
【０００８】
機器識別子に関連する信号を送信する機構は、例えば玩具もしくは装置がケーブルを介して外部コントロールユニットと接続されている場合には、ケーブル接続された信号を送信することができる。しかし、例えば玩具もしくは装置が無線ネットワーク内に組み込まれている場合には、機器識別子に関連する信号を送信する機構は、無線信号を送信してもよい。これは例えばＮＦＣ規格、Ｂｌｕｅｔｏｏｔｈ（Ｒ）規格またはＷＬＡＮ規格に即した信号である。
【０００９】
機器識別子を設けること、および機器識別子に関連する信号を例えば外部コントロールユニットに送信することが可能であることによって、玩具もしくは装置と外部コントロールユニットおよび／または外部記憶装置との間の別のデータトラフィックを、事前に設定された権利の存在に関連させることができる。後に、コンテンツ（特にオーディオブック、音楽または別のオーディオ情報、画像情報、ビデオ情報または３Ｄ情報）を再生するために、かつ／またはソフトウェアを実行するために、玩具もしくは装置が利用される本発明の実施形態が記載される。しかしここでは、再生または実行の前に、少なくとも１つのデータパケットが、外部記憶装置から玩具もしくは装置の記憶装置に転送される。これらのデータパケットは、選択されたデータシステムに応じて、もしくは選択されたデータ構造に応じて、再生されるべきもしくは実行されるべきコンテンツの全てまたは一部を含んでいてよい。機器識別子を設けること、および機器識別子に関連する信号を送信することが可能であることを利用して、玩具もしくは装置から外部コントロールユニットおよび／または外部記憶装置に向けられた、データパケットの転送のための要求を、権利検査が、このような機器識別子を有している玩具もしくは装置が、このデータパケットを受信する権利を有しているという結果を出すことに関連させることができる。
【００１０】
玩具もしくは装置のこのような識別を、ネットワークもしくはシステムにおいて、装置もしくは玩具へのデータパケットの転送を、装置もしくは玩具の使用者に対して清算するために利用することができる。したがって、個々のデータパケットの転送、例えばオーディオブックの再生のために必要なデータパケットの転送を個々に清算することができる。同様に、フラットレート計算システムが可能である。または、例えば「オーディオブックを貸し出す」という意味で、所定の時間または所定の期間、このようなデータパケットをダウンロードすることを可能にすることが組み合わされる。
【００１１】
ネットワークもしくはシステムにおける、玩具もしくは装置のこのような識別を次のことのために利用することもできる。すなわち、相応する機器識別子を有する玩具もしくは装置がこのシステム内に現れるまで、データパケットとして外部記憶装置内に保持されている、玩具もしくは装置の操作に関する制御情報を、まさにこの玩具もしくはまさにこの装置に転送するために利用することもできる。このような玩具またはこのような装置が、例えばシステム内に組み込まれている場合には、第三者、例えば親が、次のようなことをするのが可能になるべきである。すなわち、玩具もしくは装置の利用時間またはオーディオ情報の演奏の最大音量を、この第三者のスマートフォンまたはタブレット上のプログラムを介して、制限することが可能になるべきである。したがって、スマートフォンまたはタブレット上で生成された制限を、データパケットとして、外部記憶装置もしくは外部コントロールユニット、例えばクラウド内に記憶することができる実施形態が可能である。機器識別子によって、第三者が、外部記憶装置もしくは外部コントロールユニットに、どの玩具もしくはどの装置に対して、このデータパケットが設けられているのかを伝達することが可能である。このような機器識別子を有している玩具もしくは装置が現れると、このデータパケットが、この玩具もしくは装置に転送される。
【００１２】
本発明のシステムは、有利な実施形態において、外部記憶装置を設け、この外部記憶装置からデータパケットが、玩具もしくは装置の記憶装置に転送される、かつ／またはこの外部記憶装置に玩具もしくは装置からデータパケットが転送される。これは、センサが、自身の周辺領域内で、この周辺の特定の特性または特性の特定の変化を検出した場合、またはコントロールユニットが、センサによって検出された特性の特定の変化を検出した場合である。このような外部記憶装置は、例えば「クラウド」であってよい。外部記憶装置は有利には、権利検査の後にデータパケットを転送するように構成されており、ここでさらに有利には、権利検査に対して、ハンドシェイク方法、暗号化方法、秘密鍵および公開鍵またはこれらの技術の選択の組み合わせが使用される。権利検査のために、付加的に、機器識別子も使用可能である。
【００１３】
本発明のシステムは、有利な実施形態において、外部コントロールユニットを設け、この外部コントロールユニットにデータパケットが、玩具もしくは装置から転送される。これは、センサが、自身の周辺領域内で、この周辺の特定の特性または特性の特定の変化を検出した場合、またはコントロールユニットが、センサによって検出された特性の特定の変化を検出した場合である。このような外部コントロールユニットは、例えばサーバーであってよい。このサーバーは、ローカルエリアネットワークの一部またはインターネットの一部であってよい。
【００１４】
本発明の方法は、センサが、自身の周辺領域内で、この周辺の特定の特性または特性の特定の変化を検出した場合、またはコントロールユニットが、センサによって検出された特性の特定の変化を検出した場合に、データパケットが、外部記憶装置から装置の記憶装置に転送される、かつ／またはデータパケットが、装置から外部記憶装置および／または外部コントロールユニットに転送されるということを設定している。
【００１５】
このような認識は、例えば玩具および装置と、外部記憶装置との間の通信時間を低減させるために利用可能である。したがって例えば、センサが、自身の周辺領域内で、自身の周辺の特定の特性または特性の特定の変化を検出した場合、またはコントロールユニットが、センサによって検出された特性の特定の変化を検出した場合に、玩具もしくは装置と外部記憶装置もしくは外部コントロールユニットとの間の通信接続がまだ確立されていないケースでは、センサが自身の周辺領域内で、この周辺の特定の特性または特性の特定の変化を検出したという状況、またはコントロールユニットが、センサによって検出された特性の特定の変化を検出したという状況が、玩具もしくは装置と外部記憶装置もしくは外部コントロールユニットとの間の通信チャネルの構築をトリガする結果として利用される。
【００１６】
このような手法によって特に、特定の結果の発生時に、確立されている通信チャネルを再び閉じることも可能になる。通信チャネルが例えば無線で、例えば無線通信によって提供される場合には、特定の結果の発生時に、この無線通信接続を分断することができる。これによって、玩具もしくは装置の使用者が浴びる放射線を低減させることができる。トリガする結果は、例えば、玩具もしくは装置からの識別子の取り外しであってよい。同様に、トリガする結果が、事前に設定された時間間隔の経過であってもよい（これは識別子の取り外しの後の時間間隔の経過であってもよい）。このような措置によって、最も早く、外部記憶装置もしくは外部コントロールユニットと玩具もしくは装置との間の継続的に生じる通信チャネルにおいて得られる最高の操作快適性と、放射線負荷の低減に対する希望との間の良好なバランスを見出すことができる。
【００１７】
外部記憶装置は、外部コンピュータ内に設けられていてよく、玩具もしくは装置がこれと、ケーブルを介して、または無線通信接続を介して接続されていてよい。このようなコンピュータが局部的に設けられていてよく、例えば、玩具もしくは装置も存在しているホームネットワーク内に設けられていてよい。しかし外部記憶装置が、それに対して玩具もしくは装置がインターネットを介して通信する記憶装置、例えばいわゆる「クラウド」内の記憶装置であってもよい。
【００１８】
本発明の利点を得るために、次のことが不必要である。すなわち、センサが、自身の周辺領域内で、この周辺の特定の特性または特性の特定の変化を検出した場合、またはコントロールユニットが、センサによって検出された特性の特定の変化を検出した場合に、常に、データパケットが外部記憶装置から玩具の記憶装置に転送されることが不必要である。例えば、この方法の有利な実施形態では、玩具もしくは装置が、データパケットが格納可能である記憶装置を有しており、玩具もしくは装置のコントロールユニットが、どのデータパケットが玩具もしくは装置の記憶装置内に格納されているのかを知っている、ということが可能である。方法のこの有利な実施形態では、コントロールユニットが、外部記憶装置から玩具の記憶装置に転送されるべきデータパケットが、既に、玩具もしくは装置の記憶装置内に記憶されているのではないことを検出した場合には、センサが、自身の周辺領域内で、この周辺の特定の特性または特性の特定の変化を検出した場合、またはコントロールユニットが、センサによって検出された特性の特定の変化を検出した場合にだけ、データパケットが外部記憶装置から玩具の記憶装置に転送される。これによって、外部記憶装置と玩具もしくは装置の記憶装置との間で交換されるデータ量が低減される。
【００１９】
センサが、自身の周辺領域内で、この周辺の特定の特性または特性の特定の変化を検出した場合、またはコントロールユニットが、センサによって検出された特性の特定の変化を検出した場合には、あらゆるケースにおいて、外部記憶装置から玩具もしくは装置の記憶装置に転送されるべきデータパケットを外部記憶装置が保持する実施形態が可能である。このようなデータパケットは、例えば、コントロールユニットによって使用されるソフトウェアのためのソフトウェアアップデートであってよい。同様に、このようなデータパケットは、制御データパケットであってよい。このような制御データパケットによって、例えば、玩具もしくは装置がオーディオ情報をスピーカーまたはスピーカー端子を介して再生する最大音量が設定可能である。このような制御データパケットは、有利な実施形態において、玩具もしくは装置のコントロールユニットの作用を制御することができる。例えば、制御データパケットを介して、どのくらい長く、コントロールユニットがオーディオ情報を再生するのか、もしくは画像情報、ビデオ情報または３Ｄ情報を再生するのか、もしくはソフトウェアを実行するのかが設定可能である。これによって、時間的な利用制限が行われてよい。同様に、制御データパケットによって、特定のオーディオ情報、もしくは特定の画像情報、ビデオ情報または３Ｄ情報もしくは特定のソフトウェアの再生がブロックされてよい。このようなブロックは一般的に、例えば年齢制限を遵守するために、各コンテンツが全く再生されないように、行われてよい。しかしこのようなブロックは、例えば、ある時間にわたって、常にある１つのコンテンツだけが再生されるのを阻止するために、一時的なものであってもよい。
【００２０】
有利な実施形態では、センサが、自身の周辺領域内で、この周辺の特定の特性または特性の特定の変化を検出した場合、またはコントロールユニットが、センサによって検出された特性の特定の変化を検出した場合に、データパケットが玩具の記憶装置からもしくは装置から、外部記憶装置に転送される。例えば、玩具もしくは装置のコントロールユニットが、その利用に関して、すなわち特に再生されるオーディオ情報もしくは再生される画像情報、ビデオ情報または３Ｄ情報もしくは実行されるソフトウェアに関して、例えばどのくらい頻繁に各コンテンツが再生もしくは実行されたのか、統計を取ることが考えられる。このような統計の内容が、データパケットとして、外部記憶装置に転送されると、例えば、外部記憶装置からのデータにアクセスすることができる親は、自身の子供がどのコンテンツをどのくらい頻繁に利用したのか、どのくらい長くコンテンツが呼び出されたのか、および他の統計的な情報を確認することができる。これは例えば、コントロールユニットのソフトウェア状態または玩具もしくは装置のバッテリーの充電状態であってもよい。
【００２１】
外部記憶装置から、玩具もしくは装置の記憶装置に転送されるデータパケットは、外部記憶装置内に保持されているデータバンクのライブラリに由来していてよい。このようなライブラリは、外部のサービス業者によって提供されてよく、例えばオーディオブックの出版社または映画配給会社によって提供されてよい。しかし、外部記憶装置内のデータパケットが、レコーディングソフトウェアによって個々にレコーディングされたデータパケットであってよい実施形態も可能である。レコーディングソフトウェアは、外部記憶装置が属しているコンピュータの一部であるプロセッサによって実行されてよい。このような解決方法は、ホームネットワーク用のものである。しかし、レコーディングソフトウェアが、外部コンピュータ上で、例えばスマートフォン上で、タブレットコンピュータ上で、ラップトップ上で、卓上計算機上でまたはワークステーション上で実行されてもよく、このようにして生成されたデータパケットは、ネットワークを介して、特に有利にはインターネットを介して、外部記憶装置、例えば「クラウド」内に入れられ、ここから、玩具もしくは装置の記憶装置に転送される。これによって第三者が、音声メモ、画像、映像シーケンスをレコーディングすることができ、例えば物語をレコーディングし、これを外部記憶装置内に準備しておくことができる。相応するデータパケットは、センサが、自身の周辺領域内で、この周辺の特定の特性または特性の特定の変化を検出した場合、またはコントロールユニットが、センサによって検出された特性の特定の変化を検出した場合に、外部記憶装置から装置の記憶装置に転送される。外部記憶装置は、このような存在するレコーディングを新たなレコーディングによって置き換えるように構成されていてよい。玩具もしくは装置が、外部記憶装置にデータパケットを要求する場合に、外部記憶装置および装置は次のように構成されていてよい。すなわち、まずは、玩具もしくは装置内に、データパケットのコピーが既に記憶されているか否かが検査されるように構成されていてよい。この検査は、玩具もしくは装置によって実行されてよい。または有利には、外部記憶装置によって実行されてよい。これに関連して、例えば、データパケットが外部記憶装置から玩具もしくは装置に転送されるか否か、およびどのデータパケットが外部記憶装置から玩具もしくは装置に転送されるかが決定されてよい。このようにして、同じ識別子を介して、時間にわたって、種々のコンテンツを呼び出すことができる。これは例えば、多くの場合、規則的に変化するコンテンツ（例えばいわゆるポッドキャスト）またはイベントに関連して変化するコンテンツである。玩具もしくは装置は、ある実施形態では、予め定められた時間に自動的に、特定の識別子が割り当てられたコンテンツが変更されたか否かを検査するように、かつ有利には新たなコンテンツを自動的に記憶もするように構成されており、これによって、新たなコンテンツは、識別子の次の識別時に、より迅速に使用可能になる。このために、玩具もしくは装置は、外部記憶装置に、この要求が自動的に発生したという情報を伝達する。外部記憶装置はこれによって、この要求を、別の要求とは異なって処理することができ、例えば、データ伝達の優先順位を考慮して処理することができる。
【００２２】
以降で詳細に説明する実施形態のコンテキストにおいては、特に、フィギュアの成形に
結び付けられ得る種々の手法が提供される。ここでこの実施形態では、表象的なコーパスで配置されている識別子が、センサの周辺領域内に入ったときに、センサが、自身の周辺領域内で、この周辺の特定の特性または特性の特定の変化を検出し、またはコントロールユニットが、センサによって検出された特性の特定の変化を検出する。例えばこのフィギュアは、特定の物語の主要人物の形態であってよい。このフィギュアが、自身の識別子とともに、センサの領域に入ったときに、これは、自身の周辺領域内で、この周辺の、このフィギュアに属する特定の特性またはこのフィギュアに属する、特性の特定の変化を検出する、またはコントロールユニットは、センサによって検出された特性の、特定の、このフィギュアに割り当てられた変化を検出し、この主要なフィギュアに対するコンテキストにあるデータパケットが外部記憶装置から装置もしくは玩具の記憶装置にロードされる。これによって、例えば、子供のためのオーディオブックが、ダウンロードされる。しかしこのような実施形態は、有名な物語の主要なフィギュアに割り当てられていない、識別子の表象的な形態を選択することも提供する。これはいわゆる空想上の識別子である。空想上の識別子は、例えば、対象物または人物にならって作られていてよく、さらに有利には、数回または個々に製造されていてよい。これは例えば３Ｄプリント技術を用いて行われる。自身の周辺領域内のセンサが、この周辺の、特定の、このような空想上の識別子に割り当てられた特性または特定の、このような空想上の識別子に割り当てられた、特性の変化を検出すると、またはコントロールユニットが、センサによって検出された特性の特定の、このような空想上の識別子に割り当てられた、変化を検出した場合に、これは、外部記憶装置から、データパケットが、装置の記憶装置に転送されることを引き起こすことができる。このデータパケットは、事前に、レコーディングソフトウェアを用いてレコーディングされたものである。これによって、例えば親または祖父母が自身の子供または孫に物語を提供するまたは寝る前に読み聞かせる物語をレコーディングすることが可能になり、子供が空想上の識別子をセンサの周辺に持ってきたときに、子供がこれを聞く、またはビデオまたは３Ｄレコーディングの場合には、これを見ることができる。
【００２３】
データパケットを外部記憶装置に転送するために、レコーディングソフトウェアを用いることができる。これはコンテンツをレコーディングすることができる、または他の方法で、コンテンツを読み込むことができ、それらのコンテンツは完全にまたは部分的に、ネットワークを介して外部記憶装置に伝達可能であり、１つまたは複数の特定の識別子または識別子群へのコンテンツの割り当てを行うことができる。レコーディングソフトウェアは、このために、１度または繰り返して、玩具もしくは装置への接続を介して（または直接的にまたは中間接続されたサーバーを介して）、割り当て時に考慮の対象になる１つまたは複数の特定の識別子または識別子群を求め、レコーディングソフトウェアの使用者に、レコーディングまたは読み込みの前または後に、どれがこの識別子が割り当てられるべきかを特定させる。有利には、レコーディングソフトウェアの利用者に識別子が提供されるときに、この識別子が玩具もしくは装置の識別領域に入れられることによって、これが求められる。しかしこれが、例えば使用者口座を用いて、レコーディングソフトウェアの使用者（または使用者グループ）と、１つまたは複数の識別子との間の関係が記憶されることによって行われてもよい。これはさらに、使用者の使用者口座と機器識別子との間の関係が記憶されており、識別子が機器識別子に割り当てられていることによって行われてよい。使用者口座に対する割り当ては、有利には次のことによって実現されてもよい。すなわち、識別子と結び付けられているが、識別子とは別個に搬送可能である個々の情報が、レコーディングソフトウェアまたは、使用者口座に対する割り当てを行うことができる別のソフトウェアにおいて使用されることによって実現されてもよい。この個々の情報は例えば、英数字のコード、バーコードまたはＱＲコードであってよい。レコーディングソフトウェアの使用者に対するより大きな快適性を実現するために、上述した割り当て手法が、有利には、相互に組み合わされる。使用者口座への割り当ては、例えば外部記憶装置またはレコーディングソフトウェアを備える同じ機器内に記憶されており、有利には、両方の箇所に記憶されている。レコーディングソフトウェアは、特に、これが、特定の識別子へ物理的にアクセスすることなく、この識別子への割り当てを実現するように設計されていてよい。
【００２４】
レコーディングソフトウェアおよび外部記憶装置はさらに、次のように構成されていてよい。すなわち、レコーディングソフトウェアが、使用者によって望まれている、特定の識別子または識別子群に対する権利の制限を、外部記憶装置に転送することができるように構成されていてよい。これは特に空想上の識別子の場合である。このような制限が、上述した制御データパケットによって、玩具もしくは装置に伝達されてよい。しかしこれらが、（例えば付加的に）権利検査において、データパケットの送信前に、外部記憶装置によって考慮されてもよい。
【００２５】
有利には、レコーディングソフトウェアは、より大きな快適性を実現するために、同時に、例えば音量制限のために、上述した、別の制御データパケットを生成する手法を提供する。
【００２６】
データパケットを継続的に、特に有利にはある程度の期間にわたって継続的に、外部記憶装置から装置の記憶装置に転送する、またはこれをストリーミングすることも考えられる。例えばデータパケットは、ラジオ放送のためにまたはテレビ視聴のためにまたは映画の再生のために、このようにして、外部記憶装置から装置もしくは玩具の記憶装置に転送されてよい。
【００２７】
本発明は、玩具の一部としてもしくは装置の一部としてセンサを使用する、ならびにコントロールユニットを設けるという基本的なコンセプトに基づいている。ここでこのセンサは、自身の周辺領域内で、この周辺の特性または特性の変化を検出することができる。センサが自身の周辺領域内で、この周辺の特定の特性または特性の特定の変化を検出すると、このコントロールユニットは、所望の駆動制御を行うことができる。このようなセンサとこのようなコントロールユニットとを有している装置、ならびに上述のセンサおよび上述のコントロールユニットを使用する方法によって、特に容易な操作が可能になる。所望の情報を再生するために、もしくはソフトウェアを実行するために、本発明では、この周辺に、センサによって検出可能な特定の特性を与える、もしくはセンサによって検出可能な、この周辺の特性の変更を実行すればよい。これによって、本発明の特に有利な実施形態では、直接的に、所望の情報の再生もしくはソフトウェアの実行が生起される。
【００２８】
本発明によって提供される、容易な操作コンセプトは、特に良好に、音楽または口述された物語を再生するための玩具において実行される。しかし、この容易な操作コンセプトが、概ね、オーディオ情報を再生するための装置においても、むしろ、画像情報、ビデオ情報または３Ｄ情報を再生するための装置においても、またはソフトウェアを実行するための装置においても利点を供することが判明している。画像情報、ビデオ情報または３Ｄ情報の再生またはソフトウェアの実行の特殊性が明記されていない限り、またはオーディオ情報の再生時にのみ関連する特殊性が明記されていない限り、後続の説明では本発明を、玩具としての使用の幅広い使用領域を代表して、画像情報、ビデオ情報または３Ｄ情報の再生、またはソフトウェアの実行の代わりに、オーディオ情報の再生の有利な使用領域に基づいて説明する。画像情報、ビデオ情報または３Ｄ情報の再生の使用領域に対しては、後続の説明においてスピーカーまたはスピーカー端子の駆動制御が記載されている場合には、これによって、画像情報、ビデオ情報または３Ｄ情報を再生するためのディスプレイまたはディスプレイ用端子の駆動制御も意図されている。ソフトウェアの実行の使用領域に対しては、後続の説明においてスピーカーまたはスピーカー端子の駆動制御が記載されている場合には、これによって、ソフトウェアを実行するためのプロセッサの駆動制御も意図されている。玩具は、特に再生されるべきオーディオ情報が音楽または口述された物語であるということによって具体化される、オーディオ情報を再生するための装置の有利な実施形態である。
【００２９】
本発明の装置および本発明の方法は、従来の様式のＭＰ３プレーヤーと比較可能であるように、ＭＰ３プレーヤーに記憶された情報に基づく、オーディオ情報の再生のために使用可能である。これによって、ＣＤの使用が回避される。これと同時に本発明は、従来のＭＰ３プレーヤーの操作コンセプトを簡易化する。センサ周辺の特定の特性の発生もしくは特性の特定の変更の発生によって既に、本発明の有利な実施形態では、オーディオ情報が迅速に再生される。これによって、従来のＭＰ３プレーヤーにおいてしばしば、特に子供にとって煩雑であった操作コンセプトが省かれる。したがって本発明の装置および本発明の方法は特に良好に、子供用玩具での使用に適している。しかし簡易化されたこの操作コンセプトは、大人にとってもオーディオ情報を特に容易に再生することを可能にする。
【００３０】
本発明の使用領域は、オーディオ情報、特に曲、口述されたテキストまたは曲と口述されたテキストとが組み合わされたものの再生である。このようなオーディオ情報の再生持続時間は、特に、有利には少なくとも１０秒であり、好ましくは１５秒を超え、特に有利には２０秒を超え、特別に有利には２５秒を超える。むしろ、特に有利な実施形態では、オーディオ情報の再生持続時間は少なくとも３０秒続き、特別に有利には１分を超えて続き得る。例えば、特に有利には本発明によって再生されるべき放送劇は、しばしば、５分を超える長さを有しており、場合によっては３０分以上にもなる。本発明によって再生されるべきオーディオ情報は、特に、確認信号ではない。特に、本発明によって再生されるべきオーディオ情報は、例えば第１の対象物が第２の対象物に対して正しく配向されたときに出力され得る確認応答音ではない。同様に、オーディオ情報は、特別に有利には、第１の対象物が第２の対象物に近づいた時に、または事前に定められた、第２の対象物に対して相対的な特定の位置に来たときに演奏されるジングルではない。本発明は、曲または口述されたテキストの場合のように、再生持続時間が比較的長いオーディオ情報に関する。オーディオ情報は特に有利には、その再生時に異なる音色が非周期的な順番で再生されるようなオーディオ情報である。
【００３１】
本発明の装置のスピーカーは、特に有利には、電気信号を機械的な振動（音）に変換する変換器である。
【００３２】
本発明の装置が、スピーカーの代わりに、スピーカー端子を有していてもよい。これは例えば、スピコン端子、ＸＬＲ端子または例えば６．３５ｍｍのジャックソケットである。コントロールユニットがスピーカー端子を駆動制御するので、コントロールユニットは、スピーカー端子にスピーカーが接続されている場合に、このスピーカーも駆動制御することができる。スピーカー端子が送信ユニットであってもよい。この送信ユニットは、無線で、例えばＢｌｕｅｔｏｏｔｈ（Ｒ）を介して、またはＷＬＡＮ無線網を介して、スピーカーと通信することができる。しかし、特に有利には、この送信ユニットは、ＷＬＡＮ無線網を用いてスピーカーと通信するのではなく、例えば、Ｂｌｕｅｔｏｏｔｈ（Ｒ）を介してスピーカーと通信する。同様に、この装置は、スピーカー端子として、または画像情報、ビデオ情報または３Ｄ情報を再生するためのディスプレイ用の端子として、スマートフォンのドッキングステーションとコンパチブルな端子を有することができる。さらに、スマートフォン用のドッキングステーションが、スマートフォンの駆動制御命令に基づいて、スピーカー、または画像情報、ビデオ情報または３Ｄ情報を再生するためのディスプレイを駆動制御するのに使用されてよい。本発明の装置が、このようなドッキングステーションとコンパチブルな端子を有しており、スマートフォンの代わりに、このドッキングステーションと接続されることによって、本発明の装置のコントロールユニットは、このドッキングステーションと接続されているスピーカーまたはこのドッキングステーションと接続されている、画像情報、ビデオ情報または３Ｄ情報を再生するためのディスプレイを駆動制御することができる。ドッキングステーションは、ケーブルによって、スピーカーまたは画像情報、ビデオ情報または３Ｄ情報を再生するためのディスプレイと接続されていてよい。しかしドッキングステーションがケーブルを用いずに、例えば無線網を介して、スピーカーまたは画像情報、ビデオ情報または３Ｄ情報を再生するためのディスプレイと接続されていてもよい。スピーカー端子または画像情報、ビデオ情報または３Ｄ情報を再生するためのディスプレイ用の端子の駆動制御の特殊性が明記されていない限り、後続の説明では、本発明は、スピーカー端子または画像情報、ビデオ情報または３Ｄ情報を再生するためのディスプレイ用の端子の駆動制御のさらなる可能性を代表して、スピーカーの駆動制御の有利な使用領域に基づいて説明されている。スピーカー端子または画像情報、ビデオ情報または３Ｄ情報を再生するためのディスプレイ用の端子の駆動制御の使用領域に対しては、後続の説明において、スピーカーまたは画像情報、ビデオ情報または３Ｄ情報を再生するためのディスプレイの駆動制御が記載されている場合には、これによって、スピーカー端子または画像情報、ビデオ情報または３Ｄ情報を再生するためのディスプレイ用の端子の駆動制御も意図されている。
【００３３】
有利な実施形態では、本発明の装置は、少なくとも２つのスピーカーを有している。したがって、オーディオ情報をステレオで再生することが可能になる。
【００３４】
本発明の装置では、自身の周辺領域内で特性を検出することができるセンサが使用される。同様に、自身の周辺領域内で、この周辺の特性の変化を検出することができるセンサも使用可能である。同様に、自身の周辺領域内での特性の検出も、自身の周辺領域内での、この周辺の特性の変化の検出も行うことができるセンサが使用可能である。
【００３５】
有利な実施形態では、センサは、例えば、磁界の強度を、自身の周辺の特定の領域において検出し、コントロールユニットに供給される信号を生成することができる。この信号は、この磁界の強度に依存している。コントロールユニットが、この信号が、特定の所定の値に達していることを識別すると、コントロールユニットは、センサが自身の周辺領域内で特定の特性、すなわち磁界の特定の強度を検出したことを識別する。これにしたがって、コントロールユニットは、オーディオ情報を再生するようにスピーカーを駆動制御することができる。
【００３６】
付加的な、または択一的な実施例では、センサは、磁界強度の変化を、自身の周辺領域内で検出し、例えば、コントロールユニットに供給される信号を生成することができる。この信号は、磁界強度の変化速度または磁界強度の方向（磁界が強まっているかまたは弱まっているか）に依存している。この信号が供給されたコントロールユニットが、この変化が所定の値に達したことを識別すると、コントロールユニットは、オーディオ情報を再生するようにスピーカーを駆動制御することができる。
【００３７】
付加的な、または択一的な実施形態では、センサは、自身の周辺の特定の領域において、磁界が優先方向に対して相対的な特定の磁界方向を有することを検出することができる。特に有利にはセンサは、磁界が優先方向を有していないことを検出することができる。特別に有利には、センサはむしろ、磁界の磁界方向が、優先方向に対して相対的にどのような角度で位置しているのかを検出することができる。この実施形態では、センサは、コントロールユニットに、信号によって、次のことを伝達する。すなわち、磁界の磁界方向が、優先方向に相当していないということを伝達する。この信号に基づいて既に、コントロールユニットは、オーディオ情報を再生するようにスピーカーを駆動制御することができる。択一的な実施形態では、むしろセンサはコントロールユニットに、信号を介して、磁界の磁界方向が優先方向に対してどのような角度で位置しているのかを伝達することができる。ここでは、磁界の磁界方向が優先方向に対して所定の角度で位置している場合に、コントロールユニットが、オーディオ情報を再生するようにスピーカーを駆動制御するように、設定が可能である。
【００３８】
同様に、コントロールユニットがセンサの信号を評価する実施例が可能である。この信号は、優先方向に対して相対的な磁界の磁界方向の角度に依存しており、磁界の磁界方向が特定の様式で優先方向に対して変化すると、コントロールユニットはオーディオ情報を再生するようにスピーカーを駆動制御する。これは例えば、優先方向に対して相対的に特定の方向で変化した場合、または例えば、優先方向に対して相対的に所定の速度で変化した場合、または所定の時間を介した、優先方向に対して相対的な変化プロファイルを有する場合でもある。ここで変化プロファイルは、特に、磁界の磁界方向が優先方向に対して成す種々の角度の時間的なシーケンスである。
【００３９】
センサによって検出されるべき、自身の周辺領域の特性は、本発明では、好ましくはその特性に関して時間的に不変の、センサの周辺領域における電磁波の存在、または存在している電磁波に影響を与える金属構造体等の存在でもある。センサが特定の電磁波の存在を検出することができるように構成されている実施例が可能である。これは、例えば、特定の速度、特定の強度、特定の波動インピーダンス、特定の波長および／または特定の周波数を有する電磁波の存在を識別することができる。センサが、次のように構成されていてもよい。すなわち、センサが、特定の電磁波、例えば、特定の速度、特定の強度、特定の波動インピーダンス、特定の波長および／または特定の周波数を有する電磁波に影響を与えることができる構造体を検出することができるように構成されていてもよい。センサがこのような電磁波またはこのような構造体を識別すると、センサは、このことを、信号を介してコントロールユニットに伝達することができる。付加的にまたは択一的に、センサを次のように構成することができる。すなわち、センサが、速度、強度、波動インピーダンス、波長および／または周波数を測定することができ、コントロールユニットに、信号を介して、識別された変数の各値および／または識別された各変数の変化を伝達することができるように、センサを構成することができる。センサによって識別される電磁波は、特に有利には、人間の眼に可視のスペクトルにある波長もしくは周波数を有する電磁波ではない、かつ／または赤外スペクトルからの波長もしくは周波数を有する電磁波ではない。センサによって識別される、構造体による影響は、特に有利には、人間の眼に可視のスペクトルにある波長もしくは周波数を有する電磁波に関連していない、かつ／または赤外スペクトルからの波長もしくは周波数を有する電磁波に関連していない。センサによって識別される電磁波は特に有利には、ＷＬＡＮ無線網の電磁波ではなく、特に、ＩＥＥＥ−８０２．１１系の規格に従った無線網の電磁波ではない。センサによって識別される、構造体による影響は、特に有利には、ＷＬＡＮ無線網の電磁波に関するものではなく、特に、ＩＥＥＥ−８０２．１１系の規格に従った無線網の電磁波に関するものではない。
【００４０】
センサによって検出されるべき、自身の周辺領域の特性の変化は、特に有利には、電磁波の特性の変化である。上述した部分においては、特定の、好ましくはその特性に関して時間的に不変の電磁波の存在が、センサによって検出されるべき、自身の周辺領域の特性として記載されたが、以降では、次のような可能性が説明される。すなわち、存在している電磁波を整合させることができ、これによって、自身の周辺領域の特性の、センサによって検出されるべき変化がもたらされ、これに基づいて、コントロールユニットが、オーディオ情報を再生するようにスピーカーを駆動制御することができる、という可能性である。電磁波は例えば、受動的なＲＦＩＤトランスポンダと通信する読み取り機器によって生成され、受動的なＲＦＩＤトランスポンダが読み取り機器の周辺領域内に搬入され、ここでその存在が電磁波を変えることによって、電磁波が変えられる。ＲＦＩＤトランスポンダのこの搬入によってもたらされる、電磁波の変化は、センサによって、自身の周辺領域の特性の変化として識別される。電磁波の変化を識別することが可能であることによって、スピーカーの駆動制御に必要な本発明は、センサの周辺領域の特性の特定の変化を、無線信号もしくは変調された波を介してもたらすことができる。特に有利には、変化が識別される電磁波は、ＷＬＡＮ無線網の電磁波ではなく、特に、ＩＥＥＥ−８０２．１１系の規格に従った無線網の電磁波ではない。
【００４１】
有利な実施形態では、センサは、自身の周辺領域内の特性もしくは自身の周辺領域内の特性の変化を、この特性もしくはこの変化を生じさせる素子と直接的に電気的に接触することなく検出する。付加的なまたは択一的な実施形態では、センサは、自身の周辺領域内の特性もしくは自身の周辺領域内の特性の変化を、この特性もしくはこの変化を生じさせる素子と直接的に機械的に接触することなく検出する。これは、本発明の装置に、次のような利点を与える。すなわち、操作者が装置の比較的近い周辺における特性を所定の様式で設定しただけ、もしくはこれを所定の様式で変更しただけで、既にオーディオ情報の再生を行うことができる、という利点である。これによって、オーディオ情報を再生するために、対象物を特定の方法で、オーディオ情報を再生するための本発明の装置と接触させる必要性、キー部材等を装置内に設けられている収容部に入れる必要性、またはＵＳＢメモリスティック等を従来技術から公知の方法でＵＳＢ収容ソケットに差し込む必要性が無くなる。センサの周辺領域の特性の無接触検出、もしくはセンサの周辺領域の特性の変化の無接触検出に対して、特にアンテナ、誘導型センサ、磁界センサまたは赤外スペクトルにあるビームを検出することができる温度センサが適している。しかし、センサが容量型センサ、圧電式センサ、超音波変換器または電気化学式センサであってもよい。
【００４２】
択一的な実施形態では、センサは、赤外スペクトルにあるビームを検出することができる温度センサとして構成されていない。択一的な実施形態では、センサは、アンテナとして構成されていない。択一的な実施形態では、センサは容量型センサとして構成されていない。択一的な実施形態では、センサは圧電式センサとして構成されていない。択一的な実施形態では、センサは超音波変換器として構成されていない。択一的な実施形態では、センサは、電気化学式センサとして構成されていない。択一的な実施形態では、センサは、光電子工学式センサとして構成されていない。
【００４３】
本発明の装置および本発明の方法は、その操作コンセプトにおいて、次のことに基づいていてよい。すなわち、センサが特定の、具体的な特性またはこの特性の特定の変化を検出するということに基づいていてよい、もしくはコントロールユニットがセンサから自身に供給された測定信号から、センサの周辺領域内に特定の特性が存在していること、もしくは特性の所定の変化が存在していることを識別するということに基づいていてよい。例えば、本発明の装置および本発明の方法は次のことに基づいていてよい。すなわち、磁界が、センサの周辺領域において、磁界強度の特定の絶対値を有している、または磁界の磁界方向が、優先方向に対して特定の角度を有しているということに基づいていてよい。しかし有利な実施形態では、本発明の装置および本発明の方法は、多数の種々のオーディオ情報を再生するために使用されるべきであり、再生されるべきオーディオ情報の選択は、センサの周辺領域における各具体的な特性の存在もしくは各具体的な、特性の変化の存在に依存すべきであるので、この実施形態では、次のような制限が生じる。すなわち制限された数のオーディオ情報だけが、再生可能である、という制限である。本発明の装置が例えば、磁界の強度がセンサの周辺領域において第１の値である場合に第１の曲が再生され、磁界がセンサの周辺領域において第２の強度を有している場合に第２の曲が再生されるように構成されている場合、装置によって再生可能なオーディオ情報の数は、次のことに依存する。すなわち、センサの、どのような最大磁界強度値およびどのような最小磁界強度値が検出可能であり、かつセンサが検出することができるインクリメントがどの程度に細かいのかに依存する。したがって、周辺の特性もしくは周辺の特性の変化は、特に、変調された波、特に電磁波、特に無線周波数領域における電磁波でもある。しかし特に、有利には、ＷＬＡＮ無線網の電磁波、特に、ＩＥＥＥ−８０２．１１系の規格に従った無線網の波ではない。これによって、本発明の装置にとって、次のことが可能になる。すなわち、センサ周辺の特定の領域における受動的なＲＦＩＤトランスポンダの存在を検出し、オーディオ情報の再生を例えば、ＲＦＩＤトランスポンダがおおよそセンサの周辺領域内に存在している場合に行う、もしくはオーディオ情報の再生を、特定のＲＦＩＤトランスポンダが、センサの周辺領域において検出された場合に行うことが可能になる。同様に、有利な実施形態では、自身の周辺領域における、センサによって検出されるべき特性、もしくは自身の周辺領域の、センサによって検出されるべき、この特性の変化が、能動的なＲＦＩＤトランスポンダによってもたらされる。同様に、特性として、電磁波の存在が、Ｂｌｕｅｔｏｏｔｈ（Ｒ）規格にしたがって検出される、または電磁波の存在が、近距離通信（ＮＦＣ）規格にしたがって検出されることが可能である。同様に、センサの周辺領域の特性の、検出されるべき変化が、Ｂｌｕｅｔｏｏｔｈ（Ｒ）規格またはＮＦＣ規格に従った電磁波によって提供され、センサによって検出されてもよい。しかし、有利な実施形態では、センサは、次のように構成されている。すなわち、センサが、Ｂｌｕｅｔｏｏｔｈ（Ｒ）規格に従った電磁波の存在または近距離通信（ＮＦＣ）規格に従った電磁波の存在を検出することができず、かつ／またはセンサが、Ｂｌｕｅｔｏｏｔｈ（Ｒ）規格またはＮＦＣ規格に従った電磁波の変化を検出することができないように構成されている。
【００４４】
特に有利には、電磁波を介して識別子が伝送される。この識別子によって、コントロールユニットは、本発明の装置の記憶装置またはサーバーに格納されているデータセットを識別することができ、このデータセットに基づいて、オーディオ情報を再生するようにスピーカーを駆動制御することができる。特に有利には電磁波は、機能する、かつスピーカーの駆動制御に適しているオーディオフォーマット、例えばＭＰ３またはＷＡＶにコントロールユニットによって変換可能であるデータを伝送しない。有利な実施形態では、目的は、電磁波がデータセットを識別可能にすることである。これは例えば、識別子の伝送によって行われる。しかしデータセット自体は伝送されない。択一的な実施形態では、電磁波はオーディオ情報の全データを伝送する。これによって、この装置は、センサによる相応の検出の前に装置に記憶されていなかった、オーディオ情報を再生することができる。択一的に、電磁波は、データの一部を伝送する。これは、例えば、オーディオ情報の最初の数秒または最初の数分の再生に必要なデータである。また、さらなるオーディオ情報の再生に必要なデータが、本発明の装置の記憶装置またはサーバーに格納され、識別子を介して識別される。しかしこの択一的な実施形態の有利な実施形態では、電磁波は、オーディオ情報の最初の１分、特に有利には最初の３０秒、特別に有利には最初の１０秒を再生するのに必要なデータの一部のみを伝送する。また、さらなるオーディオ情報の再生に必要なデータは本発明の装置の記憶装置内に、またはサーバーに格納され、識別子を介して識別される。
【００４５】
したがって、有利な実施形態では、センサは、受動的なＲＦＩＤトランスポンダと通信する、かつ／または能動的なＲＦＩＤトランスポンダと通信する読み取り機器である。択一的な実施形態では、センサはアンテナを有している。このアンテナは、変調された波を放射する、かつ／または受信することができる。この波は特に、Ｂｌｕｅｔｏｏｔｈ（Ｒ）規格またはＮＦＣ規格に従った波である。
【００４６】
この装置は載置部を有しており、この載置部の上に、対象物が継続的に配置される。ここでこのセンサは少なくとも、載置部の上方の領域において、特性またはこの領域の特性の変化を検出することができる、かつ／またはこの装置は固定部を有しており、この固定部に、対象物が継続的に固定される。ここでこのセンサは少なくとも、この固定部の隣の領域において、この領域の特性または特性の変化を検出することができる。したがって、対象物、例えば以降で詳細に説明する識別子担体を次のように配置することができる。すなわち、センサがこの領域の特性または特性の変化を検出することができるセンサの検出領域内に対象物が位置するように、対象物を配置することができる。これは、次のような利点を有している。すなわち、対象物または装置をユーザーが継続的に引き留めておかなくても、対象物が検出領域内に留まることができるという利点である。この固定部は、例えば、つり下げ機構、クリック機構、磁石機構、回転機構等によって実現可能である。
【００４７】
本発明の装置のコントロールユニットは、センサが自身の周辺領域内で、この周辺の特定の特性または特性の特定の変化を検出すると、またはコントロールユニットが、センサによって検出されたこの特性の特定の変化を検出すると、オーディオ情報を再生するようにスピーカーを駆動制御することができる。有利な実施形態では、センサは、自身の周辺領域内で特定の特性または特性の特定の変化を検出すると、コントロールユニットによって検出可能な値を有する信号を形成する。例えば、センサが、次のような場合にのみ、コントロールユニットに供給される信号を形成してもよい。すなわち、センサが自身の周辺領域内で、この周辺の特定の特性または特性の特定の変化を検出する場合である。このような実施形態は、次のことを生じさせる。すなわちセンサが既に評価を行い、センサが周辺の特定の特性または特性の特定の変化を検出する場合にのみコントロールユニットに信号を供給するか、またはコントロールユニットに、特定の値を有する継続的な信号を供給する、ということを生じさせる。この信号は、センサが自身の周辺領域内で、この周辺の特定の特性または特性の特定の変化を検出すると、特定の、他の、コントロールユニットによって検出可能な値に変えられる。付加的にまたは択一的に、コントロールユニットが評価を行うことが可能である。このような実施形態では、センサは、コントロールユニットに継続的に測定信号を供給する。コントロールユニットは次のように構成されている。すなわち、例えば、値テーブルを格納することによって、センサから自身に供給された測定信号から、このセンサの周辺領域内に、特定の特性または特性の特定の変化が存在しているか否かを識別するように構成されている。ここで、センサ周辺の特性の変化は、特定の変化の一度の発生、例えば、特定の方向におけるセンサ周辺の磁界の磁界方向の変化の一度の発生だけではなく、センサの周辺領域における特性の時間的なシーケンスもしくはセンサ周辺の特性の変化の特定のシーケンスも、特性の変化である。これは例えば、変調された波を読み出す場合または電磁波を評価する場合である。
【００４８】
有利な実施形態では、センサが自身の周辺領域内で、この周辺の特性の特定の変化を、この特性の変化の特定のシーケンスの形態で検出した場合にのみ、もしくはコントロールユニットがセンサによって検出されたこの特性の特定の変化を、この特性の変化の特定のシーケンスの形態で検出した場合にのみ、コントロールユニットは、オーディオ情報を再生するようにスピーカーを駆動制御する。変化のこのようなシーケンスは、文字列（ストリング）の様式で構成され得る。このような文字列（このようなストリング）は、例えば特定の箇所で、再生されるべきオーディオ情報に関する情報を含んでおり、別の特定の箇所で、コピーガードとしてまたは認証のために機能し得る識別ワードを含み得る。文字列の様式の変化のシーケンスが、再生されるべきオーディオ情報に関する情報は含んでいるが、この識別ワードは含んでいない場合、コントロールユニットは、スピーカーを駆動制御しない。識別ワードに対して択一的に、文字列は、コントロール装置によって、検証のために実行可能な、プログラム（ソフトウェア）の命令シーケンスであってもよい。
【００４９】
ある実施形態では、センサが自身の周辺領域内で、この周辺の特定の特性または特性の特定の変化を検出した場合、またはコントロールユニットがセンサによって検出されたこの特性の特定の変化を検出した場合、コントロールユニットは、オーディオ情報を再生するためのスピーカーの駆動制御に対して付加的に、オーディオ情報の再生の様式も変えることができる。これは例えば、再生音量である。したがって、コントロールユニットは、スピーカーを、識別子担体がセンサに対して相対的に位置する角度に依存して駆動制御することができる。例えば、角度を変えることによって、再生音量を調整することができる。
【００５０】
有利な実施形態では、装置は、記憶装置を有しており、この記憶装置内にデータが格納され、このデータに基づいて、コントロールユニットはオーディオ情報を再生するようにスピーカーを駆動制御することができる。このデータは特に、有利には、特定のデータフォーマット、例えばＭＰ３フォーマットまたはＷＡＶフォーマットのオーディオ情報を含んでいる。記憶装置が１つのオーディオ情報のデータしか有していない実施形態が可能である。本発明の装置は、このような実施形態では、次のことのために用いられる。すなわち、センサの周辺領域の特性の相応する発生時もしくはセンサの周辺領域のこの特性の変化の相応する発生時に、唯一のオーディオ情報を再生するために用いられる。このオーディオ情報の再生持続時間は特に有利には、少なくとも１０秒である。有利な実施形態では、記憶装置内に、種々のオーディオ情報のデータが格納されている。特に有利には、このような実施形態では、コントロールユニットは次のように構成されている。すなわち、センサが自身の周辺領域内で、この周辺の特定の第１の特性または特性の特定の第１の変化を検出した場合、またはコントロールユニットがセンサによって検出された特性の特定の第１の変化を検出した場合に、コントロールユニットが、第１のオーディオ情報を再生するようにスピーカーを駆動制御するように構成されている。その再生は特に有利には、少なくとも１０秒続く。また、センサが自身の周辺領域内で、この周辺の特定の第２の特性または特性の特定の第２の変化を検出した場合、またはコントロールユニットがセンサによって検出されたこの特性の特定の第２の変化を検出した場合に、コントロールユニットは、第２のオーディオ情報を再生するようにスピーカーを駆動制御する。その再生は特に有利には、少なくとも１０秒続く。このようにして、センサの周辺領域の特性に特定の影響を与えることによって、またはセンサのこの周辺の特性の変化に特定の影響を与えることによって、装置が、多数のオーディオ情報のうちのどのオーディオ情報を再生するかを設定することが可能になる。例えば、装置は、センサの周辺領域において第１のＲＦＩＤトランスポンダの存在が検出されると、特定の第１のオーディオ情報を再生し、センサの周辺領域において第２のＲＦＩＤトランスポンダの存在が検出されると、第２のオーディオ情報を再生することができる。
【００５１】
有利な実施形態では、例えばオーディオブックを個々の章の形態で再生するために、もしくはオーディオブックの個々の章を駆動制御可能にするために、オーディオ情報のデータは、別個に読み出し可能なデータシーケンスを有するデータセットとして格納されている。データセットの各データシーケンスは、有利な実施形態では、別個に読み出され、スピーカーの駆動制御に使用される。
【００５２】
有利な実施形態では、この装置は、データをインターネットから受信する、かつ／またはデータをインターネットへ送信するユニットを有している。これは特に有利には、無線ローカルエリアネットワーク（ＷＬＡＮ）、モバイルデータ無線技術、例えばＬＴＥ、ＵＭＴＳまたはその先行物または後継物のためのアンテナ、またはインターネットアクセスも有しているローカルネットワークのケーブルの端子用の接続ソケット、例えば、イーサーネットケーブル用の接続ソケットである。データをインターネットから受信するユニットが存在することによって、コントロールユニットが、特定のデータフォーマットを有している、再生されるべきオーディオ情報を含んでいるデータを、インターネットからダウンロードすることが可能になる。このようにして、装置は、センサが自身の周辺領域内で、この周辺の特定の特性または特性の特定の変化を検出する以前に、またはコントロールユニットがセンサによって検出されたこの特性の特定の変化を検出する以前に、装置内に格納されていなかったオーディオ情報を再生することができる。ここでこのコントロールユニットは次のように構成可能である。すなわち、コントロールユニットがデータをインターネットから受信し、記憶装置内に継続的に格納し、この記憶装置内に格納されているデータに基づいてオーディオ情報を再生するようにスピーカーを駆動制御するように構成可能である。付加的にまたは択一的に、コントロールユニットが、インターネットから受信したデータを直接的に、オーディオ情報を再生するようにスピーカーを駆動制御するために使用することが可能である（いわゆるストリーミング）。ここでこの実施形態は、インターネットから受信したデータの、緩衝記憶装置内での一時的な緩衝記憶も含み得る。
【００５３】
特定のデータフォーマットを有するオーディオ情報を含んでいるデータをインターネットから受信する実施形態では、例えば、コントロールユニットが、記憶装置内に、インターネットと接続されているサーバーの、特定のサーバーアドレスを保持し、各特定の特性または特性の各特定の変化が各識別番号に割り当てられているテーブルを記憶装置内に保持することが可能である。コントロールユニットは、このような実施形態では次のことのために構成されている。すなわち、特定の特性の識別時もしくは特性の特定の変化の識別時に具体的なサーバーと通信するため、かつ特定の特性もしくはこの特性の特定の変化に割り当てられている、サーバーの識別番号を用いて、特定のデータセットをダウンロードするため、かつこのデータから得られるオーディオ情報を再生するようにスピーカーを駆動制御するために使用するために構成されている。例えば、サーバー上には、曲のタイトルが、特定のデータフォーマットを有するデータとして格納され得る。ここで各曲のタイトルもしくはこの曲のタイトルを含んでいるデータは、サーバー上に、特定の識別コードが付けられて格納されている。有利な実施形態では、本発明の装置は既に、割り当てテーブルを含んでいる。この割り当てテーブルは、センサの周辺領域の特定の特性もしくはこの特性の変化を、幾つかの、または多数の、またはむしろ有利な実施形態では全ての識別番号に割り当てる。これらは、サーバーのデータバンク上でも使用される。これによって、コントロールユニットは、所期のように、データセットをサーバーからダウンロードすることができるようになる。択一的に、コントロールユニットが、検出された特定の特性もしくはこの特性の、検出された特定の変化を含んでいる情報を特定のサーバーに伝送するように構成されることが可能である。このサーバーは、インターネットと接続されている。この場合には、識別された特定の特性もしくは識別された、この特性の特定の変化の、特定のオーディオ情報への割り当てをサーバー上で行うことができる。コントロールユニットはこの場合には、再生されるべきオーディオ情報を含んでいるデータをサーバーから受信するように構成されている。サーバーはこのデータを本発明の装置に伝送する。サーバーは、このデータを、コントロールユニットから自身に伝達された特定の特性、もしくはコントロールユニットから自身に伝達された、この特性の特定の変化に割り当てている。この実施形態は、本発明の装置内での割り当てテーブルの保持の必要性を回避し、これによって、センサの周辺領域の特定の検出された特性もしくは特性の特定の検出された変化に基づく、オーディオ情報を含んでいる特定のデータの受信の柔軟性が高まる。このような実施形態によって、例えば、サーバーに供給されるデータセットの数を増大させることができる。ここでは、割り当てテーブルを本発明の装置のコントロールユニットにおいて調整する必要はない。
【００５４】
有利な実施形態では、コントロールユニットは、オーディオ情報を再生するようにスピーカーを直接的に駆動制御するように構成されている。特に有利には、コントロールユニットに、オーディオ情報を再生するようにスピーカーを駆動制御するために、さらなる開始信号が供給される必要はない。しかしここでは、コントロールユニットがオーディオ情報を再生するためのスピーカーの駆動制御を、遅延素子によって遅らせることが可能である。
【００５５】
有利な実施形態では、本発明の装置は、センサが自身の周辺領域内で、この周辺の特定の特性または特性の特定の変化を検出した時、またはセンサによって検出されたこの特性の特定の変化をコントロールユニットが検出した時に、コントロールユニットによるオーディオ情報を再生するためのスピーカーの駆動制御に操作者が影響を与えることができる操作部材を有していない。このような実施形態では、コントロールユニットに、オーディオ情報を再生するためのスピーカーの最初の駆動制御のための命令とは異なる、別の命令を供給するために操作部材が設けられることが可能である。これは例えば、スピーカーを介したオーディオ情報の再生音量を調節するための操作部材である。
【００５６】
同様に、別個に読み出し可能なデータシーケンスを伴うデータセットのデータに基づいている、オーディオ情報の再生時に、最初の章から次の章へと跳ぶために、操作部材が設けられていてよい。このような実施形態でも、操作者が、コントロールユニットによるオーディオ情報を再生するためのスピーカーの最初の駆動制御後に、この再生を中断することを可能にする操作部材が設けられていてよい。したがって、有利な実施形態では操作部材が設けられているが、コントロールユニットは、このような実施形態において、オーディオ情報を再生するように、スピーカーを単独で、次のことによって駆動制御することができる。すなわち、センサが自身の周辺領域内で、この周辺の特定の特性または特性の特定の変化を検出することによって駆動制御することができる。ここで、操作者は操作部材を操作することはない。
【００５７】
択一的な実施形態では、この装置は操作部材を有しており、コントロールユニットは次のように構成されている。すなわち、コントロールユニットが所定の信号をこの操作部材から受け取ったときにはじめて、コントロールユニットがオーディオ情報を再生するようにスピーカーを駆動制御するように構成されている。例えばこの操作部材は、オーディオ情報を再生するためのスピーカーの駆動制御に対する開始命令を与えることができる。しかし、特別に有利な実施形態では、この開始命令は、オーディオ情報を再生するためのスピーカーの駆動制御の開始に必要な唯一の開始命令である。特に有利には、この実施形態では、次のことは設定されていない。すなわち、この操作部材または他の操作部材によって、コントロールユニットがオーディオ情報を再生するようにスピーカーを駆動制御する前にコントロールユニットに供給されなければならないさらなる命令信号が形成されることは設定されていない。特に有利には、装置の記憶装置内に格納されている、オーディオ情報用の多数のデータから、再生のためのデータセットを選択するための操作部材は設けられていない。特に有利にはこの実施形態では、再生されるべきデータセットは単独で、センサによって検出された特定の特性に基づいて、もしくはセンサの周辺領域の、センサによって検出された、この特性の特定の変化に基づいて、もしくはコントロールユニットによって検出された、センサによって検出された特性の特定の変化に基づいて選択される。このような実施形態は、特に、従来技術から公知のＭＰ３プレーヤーと比べて、操作を簡易化する。ＭＰ３プレーヤーでは、特定のオーディオ情報を再生するために、まずは、オーディオ情報が、リストから選択されなければならない。
【００５８】
有利な実施形態では、コントロールユニットは次のように構成され得る。すなわち、センサが自身の周辺領域内で特定の特性またはこの特性の特定の変化を検出しなくなるとすぐに、もしくはコントロールユニットがセンサによって検出されたこの特性の特定の変化を検出しなくなるとすぐに、コントロールユニットが、オーディオ情報を再生するためのスピーカーの駆動制御を中断するように、コントロールユニットは構成され得る。この中断は特に有利には迅速に、または遅らされて、または音量の漸次の低減によって引き起こされる。これによって、例えば、有利な実施形態において使用されているＲＦＩＤトランスポンダがセンサの周辺領域から離れた場合に、オーディオ情報の再生が中断される。択一的に、コントロールユニットを次のように構成することが可能である。すなわち、センサが自身の周辺領域内で、特定の特性またはこの特性の特定の変化を検出しなくなった場合でも、もしくはコントロールユニットが、センサによって検出された特性の特定の変化を検出しなくなった場合でも、オーディオ情報の再生が継続されるように、コントロールユニットを構成することが可能である。
【００５９】
有利な実施形態では、この装置は、オフ可能な、無線ローカルエリアネットワーク（ＷＬＡＮ）用のアンテナを有している。特に、オーディオ情報を再生するための本発明の装置が子供によって使用されるべき場合には、子供の周囲で生成される電磁波を低減することに関心が寄せられるだろう。このために、ＷＬＡＮアンテナをオフするのは有利であり得る。
【００６０】
有利な実施形態では、本発明の装置は立方体状に形成されている。本発明の装置が、他の形状、例えば球状であっても、または例えば、子供に特に好まれる、大きい対象物の形状を有していてもよい。これは例えば、船、機関車、家または象等の動物の形状である。
【００６１】
有利な実施形態では、この装置は、識別子担体用の収容部を有している。これは、光学的に、触感的に、かつ／または表面での凹部、例えば、窪みまたは隆起によって、見分けが付くようにされている。有利な実施形態において、この装置では、識別子担体は機械的にまたは磁気的に取り外し可能に固定されている。以降で、本発明のシステムに関連して詳細に説明されるように、本発明の装置は特に有利には、システムの一部として使用される。ここでは、この装置は、識別子担体と協働する。ここではこの識別子担体は、識別子担体がセンサの周辺領域内にある場合、または識別子担体がセンサ周辺の特性を変える場合、およびセンサがこの変化を検出することができる場合に、センサが検出することができる特性を有している。本発明の装置に、見分けが付くようにされている収容部が形成されている場合、識別子担体をこの収容部内に位置付けることが可能である。収容部を設けることによってさらに、中にセンサが構成されている領域を区切ることができ、センサのこのような周辺領域内で、特定の特性または特性の特定の変化が検出される。収容部を設けることによって本発明の装置を、有利な実施形態において次のように構成することができる。すなわち、センサが自身の周辺の特性を、収容部のこの領域においてのみ検出することができる、もしくはこの周辺の特性の変化を、収容部のこの領域においてのみ検出することができるように構成することができる。これによって、不所望な誤操作が無くなる。以降で詳細に説明される本発明のシステムでは、センサはむしろ、識別子担体がこの収容部内に配置されている場合にのみ、コントロールユニットが、オーディオ情報を再生するようにスピーカーを駆動制御するように構成されている。
【００６２】
有利な実施形態では、この装置は、ロッカスイッチの形状の操作部材を有しており、この操作部材によって、オーディオ情報の再生音量に影響を与えることができる。これはこのロッカスイッチが第１の位置で第１の信号、例えばオーディオ情報の再生音量を上げるための信号をコントロールユニットに送出し、ロッカスイッチが第２の位置で、第２の信号、例えばオーディオ情報の再生音量を下げるための信号をコントロールユニットに送出することによって行われる。さらにこのようなロッカスイッチは、中立な中間位置を有していてよく、この中間位置では、音量に影響を与える信号が、コントロールユニットに送出されない。択一的に、この装置が、オーディオ情報の再生音量を上げるための信号をコントロールユニットに伝送するための第１の操作部材を有し、さらに、この装置が、オーディオ情報の再生音量を下げるための信号をコントロールユニットに送出するための第２の操作部材を有していてよい。特別に有利な実施形態では、音量の増大に影響を与える操作部材は、オーディオ情報の再生音量の低減に影響を与える操作部材よりも大きく形成されている。特別に有利な実施形態では、これら２つの操作部材は、装置の基体のハウジングに取り付けられている耳の形状を有しており、例えばハウジングから突出している。これらの耳の形状の操作部材は、自身によって形成されるべき、オーディオ情報の再生音量に影響を与えるための信号を、押圧運動または曲げ運動の実行の際に、出力することができる。これは、次のような利点を有している。すなわち、ユーザーが、言語知識に頼ることなく、操作部材の機能を識別することができるという利点である。
【００６３】
有利な実施形態では、本発明の装置はディスプレイを有している。このディスプレイは、特にＥ−Ｉｎｋディスプレイであってよい。このディスプレイは、接触感応式ディスプレイであってもよい。付加的にまたは択一的に、この装置が、ＬＥＤまたはＬＥＤシーケンスを有していてもよい。
【００６４】
有利な実施形態では、この装置は、近接センサ、運動センサ（加速度センサ）、周辺光センサ、湿度センサ、傾斜センサ、ＧＰＳセンサおよび／またはジャイロセンサを有している。このようなセンサによって、コントロールユニットに対するさらなる操作命令を形成することができる。例えば、このように構成された装置は、揺さぶりを識別することができ、ここから、コントロールユニットに対する操作信号を形成する。例えば、装置の揺さぶりは、種々異なるオーディオ情報のデータをランダムな順番で再生するために用いられる。同様に、このように構成された装置は、装置に軽い打撃が左側から加えられたのか、または右側から加えられたのかを識別することができる。これは例えば、データセット内で、次の章に跳ぶまたは前の章に跳ぶために使用される。同様に、このように構成された装置は、これが投げられたか否かを識別することができる。ここからも操作信号が形成され得る。
【００６５】
有利な実施形態では、この装置はセンサを有しており、このセンサは、収容部の領域内に配置されている対象物と、この収容部との間の距離に依存した信号を形成することができる。これは、例えば超音波センサである。これによって、この装置の有利な実施形態において、スピーカーの駆動制御を信号に依存させることができ、例えば、対象物が収容部に接触しているか、またはほぼ接触しているかに依存させることができる。さらに、これによって、付加的または択一的な実施形態において、この距離の変化に応じて、さらなる操作命令を形成することが可能である。例えば、対象物の短時間の除去および再度の据え付けを、データセット内で、次の章に跳ぶために使用することができる。
【００６６】
このように配向された装置は、これが垂直方向に傾けられているか、または水平方向に傾けられているかを識別することができる。この信号も、コントロールユニットに対する操作信号の形成に用いることができる。例えば、垂直方向の傾けは再生リスト内の誘導に用いられ、水平方向の傾けはアプリケーション間の切り替えを可能にする。
【００６７】
有利な実施形態では、本発明の装置は、データ端子、例えばＵＳＢ端子を有している。このような端子を介して、例えば、有利な実施形態において、装置の一部として設けられている記憶装置に、オーディオ情報を含んでいるデータが与えられる。同様に、本発明の装置をこのような端子を介して、例えば、装置のソフトウェアを構成するために、コンピュータと接続することが可能である。
【００６８】
有利な実施形態では、装置は、発泡材または他の弾性材料によって包囲されている。特に有利には、本発明の装置は、完全に、発泡材または他の弾性材料によって包囲されている、もしくはディスプレイを伴う実施形態では、このディスプレイの領域においてのみ、発泡材または弾性材料によって包囲されていない。一方では、この包囲によって、装置のさらなる構造部材が保護され、他方では、この包囲によって、子供が怪我から保護される。
【００６９】
有利な実施形態では、本発明の装置は、エネルギー蓄積器、特にバッテリー、特に有利には再充電可能なバッテリーを有している。有利な実施形態では、本発明の装置は次のように構成されている。すなわち、バッテリーが無線で、例えば誘導式のエネルギー伝送によって充電可能であるように構成されている。これによって、充電ステーションを子供向けに形成することができる、という利点が得られる。充電ステーションは、例えば、充電のために本発明の装置をその中に置けばよいだけの充電スタンドの形態で形成される。これによって、本発明の装置のバッテリーを充電するために、子供が電気ケーブルを操作する必要が無くなる。
【００７０】
有利な実施形態では、本発明の装置は、例えば常夜灯として機能するために、光を生じさせることができる。
【００７１】
有利な実施形態では、本発明の装置は、ハウジングを有している。このハウジング内に、センサが次のように配置されている。すなわち、センサがこの周辺の特性または特性の変化を検出することができるセンサの周辺領域が１ｍより多く、ハウジングの表面を超えて延在しないように、特に有利には１５０ｍｍより多く、ハウジングの表面を超えて延在しないように、特に有利には１００ｍｍより多く、ハウジングの表面を超えて延在しないように、特に有利には５０ｍｍより多く、ハウジングの表面を超えて延在しないように、特に有利には１０ｍｍより多く、ハウジングの表面を超えて延在しないように、特に有利には５ｍｍより多く、ハウジングの表面を超えて延在しないように配置されている。これは、次のような利点を提供する。すなわち、コントロールユニットがオーディオ情報を再生するようにスピーカーを駆動制御するためにセンサが検出すべきである特性もしくは特性の変化が、装置のハウジングを中心にした狭い領域内でのみ識別されるという利点である。これによって誤操作が回避される。
【００７２】
有利な実施形態では、この装置は、不燃性材料または難燃性材料から製造されている。
【００７３】
有利な実施形態では、この装置はマイクまたは例えばマイクから到来するオーディオ信号のための接続手段を有している。これによってこの装置を音声で制御することが可能になる、またはレコーディング可能になる。
【００７４】
特に有利にはこの装置はＷＬＡＮアンテナを介して無線ローカルエリアネットワークに組み込まれ、さらに、ＷＬＡＮアンテナを介して制御命令を受信することができ、例えばスマートフォンまたはＰＣを介して制御可能である。この制御命令は、有利な実施形態では、ユーザーがオーディオ情報の再生の開始に影響を与えることができる制御命令ではない。同様に本発明の装置を、遠隔操作を介して操作されるように構成することができる。
【００７５】
有利な実施形態では、本発明の装置はカメラを有している。本発明の装置が例えば、常夜灯として形成される場合には、このカメラは、この装置の隣にいる子供に対する監視機能を担うことができる。これはこのカメラが例えば、スマートフォンから駆動制御可能であること、およびこのカメラによって撮影された画像が、ディスプレイ、例えばテレビ、スマートフォン、または他のモバイルディスプレイに再生可能であることによって行われる。付加的にまたは択一的に、マイクによって採取された、もしくは接続手段を通じて供給されたオーディオ情報を、このような方法で、スピーカーまたはスマートフォンで再生することが可能である。
【００７６】
同様に、ＷＬＡＮアンテナを介して、無線ローカルエリアネットワークに組み込まれた装置は、再生されるべきオーディオ情報を、ネットワークの他の加入者に伝送することができる。これは例えば、テレビまたは他のスピーカーへの伝送である。
【００７７】
有利な実施形態では、コントロールユニットのオペレーティングシステムはＦｉｒｅｆｏｘ  ＯＳである。有利な実施形態では、コントロールユニットのこのオペレーティングシステムを、アップデートによって更新することができる。
【００７８】
有利な実施形態では、コントロールユニットは、スピーカーの駆動制御に関する情報を求め、ドキュメント化するように構成されている。この情報は、例えば、特定のオーディオ情報が再生された頻度、または特定のオーディオ情報が再生された順番である。特に有利には、この装置は、このような情報をサーバーに伝達するように構成されている。
【００７９】
有利な実施形態では、装置は、有利には電気的なコンタクトを用いずに、例えば誘電によって、後述する識別子担体に電流を供給するための手段を有している。
【００８０】
本発明のシステムは、本発明の装置および識別子担体を有している。ここでこの識別子担体は、識別子担体がセンサの周辺領域内に位置している場合、または識別子担体がセンサ周辺の特性を変える場合に、センサが検出することができる特性を有している。本発明のシステムの基本的な考えは、特定の識別子担体が、センサが特性もしくは特性の変化を検出することができるセンサの周辺領域内にもたらされると、コントロールユニットが、オーディオ情報を再生するようにスピーカーを駆動制御するというものである。しかし、ここで、特別に有利な実施形態では、この領域内への識別子担体の搬入によって既に、オーディオ情報を再生するためのスピーカーの駆動制御がトリガされるべきである。ここでは、さらなる操作命令が形成される必要はない。
【００８１】
本発明のシステムのこのような基本的なコンセプトは、オーディオ情報を再生するための装置の操作を著しく容易にする。ここでは、従来技術から公知のＣＤプレーヤーで必要であるような、傷が付く恐れのあるＣＤを操作する必要はもはやない、または従来技術から公知のＭＰ３プレーヤーにおいて、オーディオ情報を再生するためのスピーカーの駆動制御に必要な、操作部材の複雑な一連の操作を学習する必要はもはやない。本発明の最も簡易化された実施形態では、識別子担体を、センサが特性または特性の変化を検出することができるセンサ周辺領域内に搬入するだけでよく、これによって、自動的に、オーディオ情報を再生するためのスピーカーの駆動制御がコントロールユニットによってトリガされる。
【００８２】
有利な実施形態では、識別子担体は、ＲＦＩＤトランスポンダまたはアンテナを有している。このアンテナによって、変調された波が放射および／または受信可能である。これによって、本発明の識別子担体は例えば次のように設計可能である。すなわち、これが本発明の装置と、Ｂｌｕｅｔｏｏｔｈ（Ｒ）規格またはＮＦＣ規格を介して通信可能であるように設計可能である。特にこのような技術を使用することによって、識別子担体と装置との間の多様な通信が可能になる。特にこのような技術を使用することによって、多数の識別子の識別が可能になる。これによって、本発明の装置に対して、多数のオーディオ情報から、再生されるべきオーディオ情報を選択することが可能になる。これは例えば、再生されるべき各オーディオ情報が、例えば本発明の装置内に、またはサーバー上に格納されている割り当てテーブルにおいて、割り当てられた自身の固有の識別子を得ている場合である。
【００８３】
択一的に、識別子担体が例えば、特定の強度の磁界を形成する磁石を有していることが可能である。これは、識別子担体が、センサの周辺領域に動かされる場合である。同様に、磁石は、優先方向からずれた磁界方向を有する磁界を生成するために使用可能である。
【００８４】
有利な実施形態では、識別子担体は磁石を有しており、この装置は、磁石が付く面を有している。択一的に、装置が磁石を有し、識別子担体が、識別子担体が磁石に付く面を有することができる。これによって、装置と識別子担体とが、取り外し可能に相互に接続される。これによって、識別子担体が装置に対する特定の相対的な位置を失うことなく、装置を動かすことが可能になる。
【００８５】
有利な実施形態では、識別子担体は、フィギュア、殊に人間のフィギュアまたは動物のフィギュアまたは空想上のフィギュアの形状を有している。特に有利には、識別子担体は、足を有するフィギュアの形状を有している。特に有利には、識別子担体が足を有するフィギュアの形状である場合には、磁石が、このフィギュアの足の中に配置されている。したがって、このフィギュアは本発明の装置上に立つことができる。
【００８６】
有利な実施形態では、識別子担体はフィギュアの様式で形成されているが、その上にフィギュアが立つ台座を有していない。
【００８７】
有利な実施形態では、識別子担体は、装置と機械的に固定可能ではない。特に有利には、この装置および識別子担体は、識別子担体を装置と接続することができるプラグとソケットとから成るシステムを有していない。
【００８８】
有利な実施形態では、操作者が、識別子担体を、その形状、彩色、表面構造および／またはその材料に基づいて、特定のオーディオ情報と関連付けすることができるように識別子担体が構成されており、センサがこの周辺の特性または特性の変化を検出することができるセンサ周辺領域内に識別子担体がもたらされると、オーディオ情報を再生するためのスピーカーの駆動制御がトリガされる。このオーディオ情報は内容的に、ユーザーの上記の関連付けと関連している。これは例えば、フィギュアの様式で形成可能であり、フィギュアの形状と関連しているオーディオ情報の再生をトリガすることができる。例えば、このフィギュアは、Ｂｅｎｊａｍｉｎ  Ｂｌｕｅｍｃｈｅｎ（Ｒ）の形状を有し、再生されるオーディオ情報は、Ｂｅｎｊａｍｉｎ  Ｂｌｕｅｍｃｈｅｎ（Ｒ）が主人公のオーディオストーリであってよい。同様に、識別子担体を個々に整合させることができる。例えば、識別子担体を、ある別の人物の比較的近い環境の人物の形状を模したフィギュアとして形成することができ、再生されるオーディオ情報がこの人物によって以前にレコーディングされたオーディオ情報であってよい。同様に、識別子担体が、科学者を模したフィギュアの形状を有しており、オーディオ情報がこの科学者による発見の内容を有していてもよい。さらに、フィギュアが作曲家または演奏家を模しており、オーディオ情報がこの作曲家または演奏家のコンテンツを含んでいてよい。識別子担体が、曲、楽曲集（アルバム）またはプレイリストに対するオーディオ情報をトリガすることが可能である。
【００８９】
付加的なまたは択一的な実施形態では、識別子担体は、他の対象物に固定することができるシールまたはモジュールとして形成されている。
【００９０】
有利な実施形態では、識別子担体は、自身に記憶されたデータが変更可能であるように構成されている。別の有利な実施形態では、識別子担体は、自身に記憶されたデータが変更不可能であるように構成されている。別の有利な実施形態では、識別子担体は、次のように構成されている。すなわち、自身に記憶されたデータが一度だけ変更可能であり、その後は変更不可能であるように構成されている。有利な実施形態では、初めのうちは変更可能な識別子担体は、この識別子担体が特定の処理によって、変更不可能な識別子担体になることができるように構成されており、有利には、識別子担体を、再び、変更可能な識別子担体に戻すことはできない。この処理は、有利には、機械的な様式であってよく、例えば、特定の電気的な線路の切断または接続である。付加的なまたは択一的な実施形態では、この処理は可視光によって、不可視の電磁波（例えば無線信号、紫外光）、磁気的、電気的かつ／または熱的なパルスによって行われてよい。有利な実施形態では、識別子担体は、クリック機構によって、他の対象物、例えばフィギュア内にまたは他の対象物、例えばフィギュアの表面に固定されるように構成されている。この過程の後、対象物を全体的に、識別子担体として見なすことができる。特別に有利な実施形態では、識別子担体は、機械的な処理によって、変更不可能になることができるように構成されている。これを、識別子担体を対象物と結合するためのクリック機構の操作のための運動と組み合わせることが可能である。したがって例えば、この処理は、対象物内へのクリックと同時に行われ得る。
【００９１】
有利な実施形態では、識別子担体は、これが、誘導によって、能動的な電子部品を動かすために電流供給されるように構成されている。有利な実施形態では、識別子担体は、データメモリを提供する能動的な電子部品を含んでいるように構成されている。このようなデータメモリは、有利には不揮発性である。有利な実施形態では、データメモリは、周辺の特性の変化に対する基礎となり得る識別子および／またはオーディオ情報を提供することができるように構成されている。識別子担体に記憶されているオーディオ情報が装置に伝送されることによって、この装置は、センサが自身の周辺領域内でこの周辺の特定の特性または特性の特定の変化を検出する以前に、またはコントロールユニットが、センサによって検出されたこの特性の特定の変化を検出する以前に、装置に記憶されていなかったオーディオ情報を再生することができる。有利な実施形態では、識別子担体は、センサおよびコントロールユニットによって再びデータに変換可能である、周辺の特性の変更に適している能動的な電子部品を有している。有利な実施形態では、識別子担体は、プロセッサを有している。有利な実施形態では、識別子担体はデータ受信ユニットも有している。
【００９２】
識別子担体は、オーディオ情報を再生するという目的と無関係でも、有利である。データの記憶および転送のために、一般的に、ある実施形態は、以下のものを有するように構成され得る。すなわち、
・電磁波用のアンテナと、
・少なくとも１メガバイトの記憶容量を有している不揮発性データメモリを含んでいる能動的な電気部品と、
・データを不揮発性データメモリからアンテナを介して送信することができるように構成されている送信ユニットと、
・アンテナとは異なる、エネルギーを受け取り、データメモリおよび送信ユニットに給電するために充分な電流に変換して、データ送信過程に対する継続的なエネルギー蓄積器を不必要にするエネルギー受信ユニットと、
・データを、データメモリから読み出し、送信ユニットを介してこのデータを送信する準備ができている制御ユニットと、
を有するように構成され得る。特に有利には、制御ユニットは、エネルギー受信ユニットがそれに対して充分なエネルギーを供給するとすぐに無接触にデータを読み出すように準備ができており、無接触の要求に応じて、データメモリからのデータを、完全にまたは部分的に送信ユニットを介して伝送する。識別子担体の個々の実施形態の上述した態様および後述する態様は、このような一般的に使用可能な識別子担体にも転用可能である。ここで、スピーカーの駆動制御はそれぞれ、識別子担体に記憶されているデータの処理または表示に置換される。有利な実施形態では、データメモリは、少なくとも５００メガバイト、１ギガバイトまたは４ギガバイトの記憶容量を有している。
【００９３】
有利な実施形態では、識別子担体は次のように構成されている。すなわち、識別子担体が、センサの周辺領域内で、この周辺の１つの特定の特性だけ、または特性の１つの特定の変化だけを形成し、これによって、コントロールユニットが特定のオーディオ情報を再生するようにスピーカーを駆動制御することだけが引き起こされるように構成されている。システムのこのような実施形態では、付加的なオーディオ情報を再生するために付加的な識別子担体が調達もしくは保持されなければならない。これによって、このような実施形態において、本発明は、従来技術のＭＰ３プレーヤーでしばしば見られる、できるだけ多くの機能もしくはできるだけ多くのオーディオ情報を、それぞれ特定の操作シーケンスを介して、しかし、さらなる装置を加えることなく呼び出し可能であるように１つの機器内に統合するという原則から解放される。このようなＭＰ３プレーヤーと比べて、本発明のシステムの構成では、本願に記載した実施形態において、より多くのコストがかかる。なぜなら、種々のオーディオ情報を再生するために、多数の識別子担体が保持されなければならないからである。しかし、簡易化された操作コンセプトへの需要が存在することが判明している。ここでは、識別子担体に割り当てられている１つのオーディオ情報の容易な再生のために、保持されるべき識別子担体の数は多い。例えば、この実施形態によって、玩具システムを構築することが可能になる。ここでは、フィギュア状に形成された識別子担体はそれぞれ、特定の、自身に割り当てられた曲、または特定の、自身に割り当てられた口述された物語を識別するためだけに適している。これは、玩具のスピーカーを駆動制御することによって再生される。しかし子供は、フィギュアを選択することによって、および簡易化された操作コンセプトに基づいて、自身で、どの曲もしくはどの口述された物語が再生されるべきかを選択することができる。この操作コンセプトでは、有利な実施形態において、識別子担体がセンサの周辺領域内で、この周辺の相応する１つの特性または特性の相応する１つの変化を形成するとすぐに、曲もしくは口述された物語が迅速に再生される。この周辺の１つの相応する特性または特性の１つの相応する変化を形成することによって、オーディオ情報の再生のために、別個に読み出し可能なデータシーケンスを有するデータセットが識別される。これによって、例えば、この１つの識別子担体によって、オーディオブックを、個々の章の形態で識別することができ、さらに、オーディオブックの個々の章を駆動制御可能にすることができ、もしくは連続した物語またはシリーズの個々のシーケンスを識別することができる。
【００９４】
特に有利には、識別子担体は、識別子担体がセンサの周辺領域内で、この周辺の特性または特性の変化だけを形成する様式に影響を与える操作部材を有していない。センサの周辺領域内でこの周辺の１つの特定の特性のみ、または特性の１つの特定の変化のみを形成することができるように識別子担体が構成されており、したがって、コントロールユニットが特定のオーディオ情報を再生するようにスピーカーを駆動制御することだけが引き起こされる使用ケースに、この実施形態は特に良好に適している。付加的または択一的に、識別子担体は、次のような操作部材を有している。すなわち、それによって、センサの周辺領域内で、センサによって検出される、この周辺の１つの特定の特性だけが形成されるのではなく、複数の特定の特性または特性の特定の変化が形成され、かつそれによって、コントロールユニットがオーディオ情報の再生の様式を変えることができる操作部材を有している。この再生の様式は、例えば再生音量、または次のまたは前の章または曲を選択するための制御命令である。したがって、識別子担体の操作部材を操作すること、例えばフィギュアとして形成されている識別子担体の腕または頭を回転させることによって、オーディオ情報の再生の様式、例えば再生音量を変えることができる。
【００９５】
有利な実施形態では、識別子担体はエネルギー蓄積器を有しておらず、特に有利には、バッテリー等の継続的なエネルギー蓄積器を有していない。特に有利には、識別子担体はコンデンサを除いてエネルギー蓄積器を有していない。
【００９６】
オーディオ情報を再生するための本発明の方法は、
・スピーカーまたはスピーカー端子と、
・自身の周辺領域内で、この周辺の特性または特性の変化を検出することができるセンサと、
・その上に対象物を継続的に配置することができる載置部、および／またはそこに対象物を継続的に固定することができる固定部と、
・コントロールユニットと
を有する装置によって実行される。ここでセンサは少なくとも載置部の上方の領域において、この領域の特性または特性の変化を検出することができる。センサは少なくとも、固定部の隣の領域において、この領域の特性または特性の変化を検出することができる。ここでコントロールユニットは、センサが自身の周辺領域内で、この周辺の特定の特性または特性の特定の変化を検出した場合、またはコントロールユニットが、センサによって検出されたこの特性の特定の変化を検出した場合に、オーディオ情報を再生するようにスピーカーまたはスピーカー端子を駆動制御する。このオーディオ情報の再生は、特に有利には少なくとも１０秒続く。
【００９７】
画像情報、ビデオ情報、または３Ｄ情報を再生する本発明の方法は、
・画像情報、ビデオ情報、または３Ｄ情報のためのディスプレイまたはこのようなディスプレイ用の端子と、
・自身の周辺領域内で、この周辺の特性または特性の変化を検出することができるセンサと、
・その上に対象物を継続的に配置することができる載置部、および／またはそこに対象物を継続的に固定することができる固定部と、
・コントロールユニットと
を有する装置によって実行される。ここでセンサは少なくとも、載置部の上方の領域において、この領域の特性または特性の変化を検出することができる。センサは少なくとも、固定部の隣の領域において、この領域の特性または特性の変化を検出することができる。ここでコントロールユニットは、センサが自身の周辺領域内で、この周辺の特定の特性または特性の特定の変化を検出した場合、またはコントロールユニットが、センサによって検出されたこの特性の特定の変化を検出した場合に、画像情報、ビデオ情報、または３Ｄ情報を再生するようにディスプレイまたはディスプレイ用の端子を駆動制御する。
【００９８】
ソフトウェアを実行するための本発明の方法は、
・ソフトウェアを実行することができるプロセッサと、
・自身の周辺領域内で、この周辺の特性または特性の変化を検出することができるセンサと、
・コントロールユニットと、
を有する装置によって実行される。ここでコントロールユニットは、センサが自身の周辺領域内で、この周辺の特定の特性または特性の特定の変化を検出した場合、またはコントロールユニットが、センサによって検出されたこの特性の特定の変化を検出した場合に、ソフトウェアを実行するようにプロセッサを駆動制御する。
【００９９】
本発明の識別子担体は、本発明の装置とともに、本発明のシステム内に、または本発明の方法内に組み込まれるのに適している。
【０１００】
以降で、本発明を、本発明の単なる実施形態を表している図面に基づいて、詳細に説明する。
【図面の簡単な説明】
【０１０１】
【図１】オーディオ情報を再生するための本発明の装置の斜視図
【図２】図１に示された本発明の装置と識別子担体とから成る本発明のシステムの正面図
【発明を実施するための形態】
【０１０２】
図１は、オーディオ情報を再生するための本発明の装置を示している。装置１は、図１の斜視図に詳細に示されていないスピーカーを有している。さらに、装置１は、自身の上面２に窪み３を有している。装置１の内部、すなわち、窪み３の下方には、（詳細に図示されていない）センサが配置されている。このセンサは、窪み３の領域内で、この周辺の特性または特性の変化を検出することができ、すなわち受動的なＲＦＩＤトランスポンダ（図２を参照）を読み出すことができる。さらに、この装置は、（詳細に図示されていない）コントロールユニットを有している。このコントロールユニットは、センサが自身の周辺領域内で、この周辺の特定の特性または特性の特定の変化を検出した場合、またはコントロールユニットが、センサによって検出されたこの特性の特定の変化を検出した場合に、オーディオ情報を再生するようにスピーカーを駆動制御することができる。
【０１０３】
センサは、次のように装置１のハウジング内に配置されている。すなわち、センサがこの周辺の特性または特性の変化を検出することができるセンサ周辺領域が、窪み３の底面４から上方へ１００ｍｍを超えて延在しないように、配置されている。
【０１０４】
本発明の装置は、耳の形状を有する第１の操作部材５と、同様に耳の形状を有する第２の操作部材６と、を有している。操作部材５は、操作部材６よりも大きく形成されている。操作部材５も操作部材６も、装置１の残りのハウジングに対して相対的に傾斜可能であり、かつ図１に示された基本姿勢に戻ることができる。
【０１０５】
さらに、装置１はディスプレイ７を有している。
【０１０６】
図２に示されたシステムは、図１に示された装置の他に、フィギュアの形状に形成された識別子担体８を有している。フィギュアとして形成されたこの識別子担体８は、脚９と足（くるぶしから下）とを有しており、足９が固定的に接続されるであろう台座を有していない。フィギュアとして形成された識別子担体８の足内には、（詳細には図示されていない）磁石が設けられている。この磁石は、窪み３の底面４のすぐ下に配置されている磁石または金属製の対象物と協働することができ、これによって、識別子担体８は、窪み３の底面４上に、取り外し可能に固定される。
【０１０７】
本発明のシステムの操作は以下のように行われる。
【０１０８】
図１は、基本状態にある本発明の装置を示している。この基本状態では、この装置は、ここに示されている実施形態では、オーディオ情報を再生しない。センサは、継続的または周期的に、窪み３の領域を次のことに関して監視する。すなわち、この領域が、特定の特性または特性の特定の変化を有しているか否かに関して監視する。ここに示された実施形態では、センサは、特定のＲＦＩＤトランスポンダが、窪みのこの領域内に搬入されたか否かに関して、窪み３のこの領域を監視する。図１に示された動作状況は、このようなケースではなく、装置１はオーディオ情報を再生しない。
【０１０９】
図２は、識別子担体８を加えることによって本発明のシステムが完全なものにされた動作状況を示している。識別子担体８は、窪み３の底面４上に置かれ、識別子担体８の足内に設けられた磁石によって、ここに付着する。識別子担体８は、（詳細に図示されていない）ＲＦＩＤトランスポンダを有している。ここでは識別子担体８が、センサ周辺の、センサによって監視されている領域内に搬入されているので、これはここでは、特定の、センサによって検出可能な特性を有している。センサは、識別子担体８内のＲＦＩＤトランスポンダの存在を識別し、このことを、（詳細に図示されていない）コントロールユニットに、信号によって伝達する。これに基づいて、コントロールユニットは、オーディオ情報を再生するようにスピーカーを駆動制御する。ここでは、さらなる操作部材の操作は必要ない。
【０１１０】
センサは、識別子担体８のＲＦＩＤトランスポンダから識別子を読み出し、コントロールユニットにこの識別子を伝達する。コントロールユニット内に格納されている割り当てテーブルに基づいて、コントロールユニットは、センサによって読み出された識別子を、装置１の（詳細に図示されていない）記憶装置内の、特定のオーディオ情報を含んでいる特定のデータセットに割り当てる。コントロールユニットは、これに基づいて、スピーカーを駆動制御し、コントロールユニットによって記憶装置から読み出された特定のデータ内に再び含まれているオーディオ情報が再生される。このようなオーディオ情報は、その再生が少なくとも１０秒は続く曲である。
【０１１１】
コントロールユニットが、識別子に属するデータセットがまだ、装置の記憶装置内に格納されていないことを検出すると、コントロールユニットは、詳細に図示されていない機構を介して、サーバーへの接続を形成する。サーバーのコンタクトデータは、装置のコントロールユニット内に格納されている。このサーバーで、コントロールユニットが識別される。これは、コントロールユニットがサーバーに、装置の機器識別子、すなわちこの実施例においては、コントロールユニットのプロセッサのプロセッサ識別子を伝達することによって行われる。さらに、コントロールユニットは、サーバーに、どのデータパケットが外部記憶装置から装置の記憶装置にロードされなければならないかを伝達する。機器識別子の検査の後に、サーバーが、この装置が、データパケットを外部記憶装置から装置の記憶装置にロードする権利があることを検出すると、サーバーはこのデータパケットを転送のために開放し、このデータパケットを外部記憶装置から装置の記憶装置に転送する。
【図１】
2019511257.tif 000003
【図２】
2019511257.tif 000004
【国際調査報告】
2019511257.tif 000005
2019511257.tif 000006
2019511257.tif 000007
2019511257.tif 000008
2019511257.tif 000009
2019511257.tif 000010